(57)【要約】  ワイヤレス通信のための方法、システム、およびデバイスが説明される。方法は、ダウンリンク送信が第1の無線周波数(RF)スペクトル帯域上でユーザ機器(UE)に送信するために利用可能であることを示す事前許可メッセージを基地局から受信するステップと、リッスンビフォアトーク(LBT)手順を実行するステップとを含み得る。次いで、UEは、クリアチャネルを示すLBT手順に基づいて、チャネル予約信号を第2のRFスペクトル帯域上で送信し、事前許可メッセージに対する応答を第2のRFスペクトル帯域上で基地局に送信し得る。別の方法は、基地局が、事前許可メッセージをUEに送信すること、および事前許可メッセージに対する応答を第2のRFスペクトル帯域上で受信することを含み得る。次いで、基地局は、第1のRFスペクトル帯域上で送信ビームのセットのうちの1つまたは複数の送信ビームを使用してダウンリンク送信をUEに送信し得る。
2020534743.tif 000002
【特許請求の範囲】
【請求項１】
基地局におけるワイヤレス通信のための方法であって、
ダウンリンク送信が第1の無線周波数(RF)スペクトル帯域上でユーザ機器(UE)に送信するために利用可能であることを示す事前許可メッセージを前記UEに送信するステップと、
前記事前許可メッセージに対する応答を第2のRFスペクトル帯域上で前記UEから受信するステップと、
前記事前許可メッセージに対する前記応答を受信することに少なくとも部分的に基づいて、前記第1のRFスペクトル帯域上で送信ビームのセットのうちの1つまたは複数の送信ビームを使用して前記ダウンリンク送信を前記UEに送信するステップとを含む、方法。
【請求項２】
リッスンビフォアトーク(LBT)手順を前記第2のRFスペクトル帯域内で実行するステップをさらに含み、前記事前許可メッセージは、クリアチャネルを示す前記LBT手順に少なくとも部分的に基づいて送信される、請求項1に記載の方法。
【請求項３】
前記事前許可メッセージを前記UEに送信するステップが、
前記事前許可メッセージを前記第1のRFスペクトル帯域または前記第2のRFスペクトル帯域内で前記UEに送信するステップを含む、請求項1に記載の方法。
【請求項４】
前記ダウンリンク送信を前記UEに送信することに応答して、1つまたは複数の肯定応答(ACK)または否定応答(NACK)メッセージを前記第2のRFスペクトル帯域上で前記UEから受信するステップをさらに含む、請求項1に記載の方法。
【請求項５】
前記事前許可メッセージが、送信機会(TxOP)の持続時間を示す、請求項1に記載の方法。
【請求項６】
チャネル予約信号を前記第2のRFスペクトル帯域上で第2のUEから受信するステップと、
前記チャネル予約信号を受信することに少なくとも部分的に基づいて前記第1のRFスペクトル帯域上で送信することを控えるステップとをさらに含む、請求項1に記載の方法。
【請求項７】
前記チャネル予約信号が持続時間を示すプリアンブルを含み、前記基地局が前記示された持続時間の間、送信することを控える、請求項6に記載の方法。
【請求項８】
チャネル予約送信が、物理アップリンク制御チャネル(PUCCH)波形である、請求項6に記載の方法。
【請求項９】
前記第1のRFスペクトル帯域が6GHzより上のRFスペクトル帯域を含み、前記第2のRFスペクトル帯域が6GHzより下のRFスペクトル帯域を含む、請求項1に記載の方法。
【請求項１０】
前記第1のRFスペクトル帯域が、無認可または共有アクセスRFスペクトル帯域を含み、
前記第2のRFスペクトル帯域が、無認可もしくは共有アクセスRFスペクトル帯域または認可RFスペクトル帯域を含む、請求項1に記載の方法。
【請求項１１】
前記第2のRFスペクトル帯域が前記認可RFスペクトル帯域を含み、前記認可RFスペクトル帯域は、周波数分割複信(FDD)認可スペクトル帯域または時分割複信(TDD)認可スペクトル帯域を含む、請求項10に記載の方法。
【請求項１２】
前記事前許可メッセージが、事前許可メッセージ送信に対するクリアチャネルを示すためにリッスンビフォアトーク(LBT)手順を実行することなく送信される、請求項1に記載の方法。
【請求項１３】
前記UEからの送信が、前記基地局が前記第1のRFスペクトル帯域内でアップリンク受信能力を欠くことに少なくとも部分的に基づいて、前記第1のRFスペクトル帯域以外のスペクトル帯域内で受信される、請求項1に記載の方法。
【請求項１４】
ユーザ機器(UE)におけるワイヤレス通信のための方法であって、
ダウンリンク送信が第1の無線周波数(RF)スペクトル帯域上で前記UEに送信するために利用可能であることを示す事前許可メッセージを基地局から受信するステップと、
前記事前許可メッセージを受信することに少なくとも部分的に基づいてリッスンビフォアトーク(LBT)手順を実行するステップと、
クリアチャネルを示す前記LBT手順に少なくとも部分的に基づいて、チャネル予約信号を第2のRFスペクトル帯域上で送信するステップと、
前記事前許可メッセージに対する応答を前記第2のRFスペクトル帯域上で前記基地局に送信するステップとを含む、方法。
【請求項１５】
前記LBT手順を実行するステップが、
前記事前許可メッセージを受信することに少なくとも部分的に基づいて前記LBT手順を前記第1のRFスペクトル帯域内で実行するステップを含む、請求項14に記載の方法。
【請求項１６】
前記ダウンリンク送信を前記第1のRFスペクトル帯域上で前記基地局から受信するステップをさらに含み、前記ダウンリンク送信は、前記第1のRFスペクトル帯域上で送信ビームのセットのうちの1つまたは複数の送信ビームを使用して前記基地局によって送信される、請求項14に記載の方法。
【請求項１７】
前記ダウンリンク送信を前記UEにおいて受信することに応答して、1つまたは複数の肯定応答(ACK)または否定応答(NACK)メッセージを前記第2のRFスペクトル帯域上で前記基地局に送信するステップをさらに含む、請求項16に記載の方法。
【請求項１８】
前記事前許可メッセージを受信するステップが、前記第1のRFスペクトルまたは前記第2のRFスペクトルの中で受信するステップを含む、請求項14に記載の方法。
【請求項１９】
前記LBT手順を実行するステップが、
前記事前許可メッセージを受信することに少なくとも部分的に基づいて前記LBT手順を前記第2のRFスペクトル帯域内で実行するステップを含む、請求項14に記載の方法。
【請求項２０】
第2のLBT手順を前記第2のRFスペクトル帯域内で実行するステップをさらに含み、前記チャネル予約信号を送信することは、前記クリアチャネルを示す前記LBT手順および第2のクリアチャネルを示す前記第2のLBT手順に少なくとも部分的に基づく、請求項19に記載の方法。
【請求項２１】
前記事前許可メッセージが、送信機会(TxOP)の持続時間を示す、請求項14に記載の方法。
【請求項２２】
前記チャネル予約信号が前記持続時間を示すプリアンブルを含む、請求項21に記載の方法。
【請求項２３】
前記LBT手順が、カテゴリー4 LBTもしくはワンショットLBTまたはそれらの組合せを含む、請求項14に記載の方法。
【請求項２４】
前記チャネル予約信号を搬送するアップリンクキャリアを周波数分割複信するステップをさらに含む、請求項14に記載の方法。
【請求項２５】
前記チャネル予約信号を搬送するアップリンクキャリアを時分割複信するステップをさらに含む、請求項14に記載の方法。
【請求項２６】
チャネル予約送信が、物理アップリンク制御チャネル(PUCCH)波形である、請求項14に記載の方法。
【請求項２７】
前記第1のRFスペクトル帯域が6GHzより上のRFスペクトル帯域を含み、前記第2のRFスペクトル帯域が6GHzより下のRFスペクトル帯域を含む、請求項14に記載の方法。
【請求項２８】
前記第1のRFスペクトル帯域が、無認可または共有アクセスRFスペクトル帯域を含み、
前記第2のRFスペクトル帯域が、無認可もしくは共有アクセスRFスペクトル帯域または認可RFスペクトル帯域を含む、請求項27に記載の方法。
【請求項２９】
前記第2のRFスペクトル帯域が前記認可RFスペクトル帯域を含み、前記認可RFスペクトル帯域は、周波数分割複信(FDD)認可スペクトル帯域または時分割複信(TDD)認可スペクトル帯域を含む、請求項28に記載の方法。
【請求項３０】
前記UEからの送信が、前記基地局が前記第1のRFスペクトル帯域内でアップリンク受信能力を欠くことに少なくとも部分的に基づいて、前記第1のRFスペクトル帯域以外のスペクトル帯域内で送信される、請求項14に記載の方法。
【請求項３１】
ワイヤレス通信のための装置であって、
ダウンリンク送信が第1の無線周波数(RF)スペクトル帯域上でユーザ機器(UE)に送信するために利用可能であることを示す事前許可メッセージを前記UEに送信するための手段と、
前記事前許可メッセージに対する応答を第2のRFスペクトル帯域上で前記UEから受信するための手段と、
前記事前許可メッセージに対する前記応答を受信することに少なくとも部分的に基づいて、前記第1のRFスペクトル帯域上で送信ビームのセットのうちの1つまたは複数の送信ビームを使用して前記ダウンリンク送信を前記UEに送信するための手段とを含む、装置。
【請求項３２】
リッスンビフォアトーク(LBT)手順を前記第2のRFスペクトル帯域内で実行するための手段をさらに含み、前記事前許可メッセージは、クリアチャネルを示す前記LBT手順に少なくとも部分的に基づいて送信される、請求項31に記載の装置。
【請求項３３】
前記事前許可メッセージを前記第1のRFスペクトル帯域または前記第2のRFスペクトル帯域内で前記UEに送信するための手段をさらに含む、請求項31に記載の装置。
【請求項３４】
前記ダウンリンク送信を前記UEに送信することに応答して、1つまたは複数の肯定応答(ACK)または否定応答(NACK)メッセージを前記第2のRFスペクトル帯域上で前記UEから受信するための手段をさらに含む、請求項31に記載の装置。
【請求項３５】
前記事前許可メッセージが、送信機会(TxOP)の持続時間を示す、請求項31に記載の装置。
【請求項３６】
ワイヤレス通信のための装置であって
ダウンリンク送信が前記装置に送信するために利用可能であることを示す事前許可メッセージを基地局から受信するための手段であって、前記ダウンリンク送信は、第1の無線周波数(RF)スペクトル帯域上で送信するために利用可能である、手段と、
前記事前許可メッセージを受信することに少なくとも部分的に基づいてリッスンビフォアトーク(LBT)手順を実行するための手段と、
クリアチャネルを示す前記LBT手順に少なくとも部分的に基づいて、チャネル予約信号を第2のRFスペクトル帯域上で送信するための手段と、
前記事前許可メッセージに対する応答を前記第2のRFスペクトル帯域上で前記基地局に送信するための手段とを含む、装置。
【請求項３７】
前記事前許可メッセージを受信することに少なくとも部分的に基づいて前記LBT手順を前記第1のRFスペクトル帯域内で実行するための手段をさらに含む、請求項36に記載の装置。
【請求項３８】
前記ダウンリンク送信を前記第1のRFスペクトル帯域上で前記基地局から受信するための手段をさらに含み、前記ダウンリンク送信は、前記第1のRFスペクトル帯域上で送信ビームのセットのうちの1つまたは複数の送信ビームを使用して前記基地局によって送信される、請求項36に記載の装置。
【請求項３９】
前記ダウンリンク送信をUEにおいて受信することに応答して、1つまたは複数の肯定応答(ACK)または否定応答(NACK)メッセージを前記第2のRFスペクトル帯域上で前記基地局に送信するための手段をさらに含む、請求項38に記載の装置。
【請求項４０】
前記事前許可メッセージが、前記第1のRFスペクトルまたは前記第2のRFスペクトルの中で受信される、請求項36に記載の装置。
【請求項４１】
前記事前許可メッセージを受信することに少なくとも部分的に基づいて前記LBT手順を前記第2のRFスペクトル帯域内で実行するための手段をさらに含む、請求項36に記載の装置。
【請求項４２】
第2のLBT手順を前記第2のRFスペクトル帯域内で実行するための手段をさらに含み、前記チャネル予約信号を送信することは、前記クリアチャネルを示す前記LBT手順および第2のクリアチャネルを示す前記第2のLBT手順に少なくとも部分的に基づく、請求項41に記載の装置。
【請求項４３】
前記事前許可メッセージが、送信機会(TxOP)の持続時間を示す、請求項36に記載の装置。
【請求項４４】
前記チャネル予約信号が、前記持続時間を示すプリアンブルを含む、請求項43に記載の装置。
【請求項４５】
前記LBT手順が、カテゴリー4 LBTもしくはワンショットLBTまたはそれらの組合せを含む、請求項36に記載の装置。
【請求項４６】
ワイヤレス通信のための装置であって
プロセッサと、
前記プロセッサと電子通信しているメモリと、
前記メモリに記憶された命令とを備え、前記命令が、前記プロセッサによって実行されたとき、前記装置に、
ダウンリンク送信が第1の無線周波数(RF)スペクトル帯域上でユーザ機器(UE)に送信するために利用可能であることを示す事前許可メッセージを前記UEに送信することと、
前記事前許可メッセージに対する応答を第2のRFスペクトル帯域上で前記UEから受信することと、
前記事前許可メッセージに対する前記応答を受信することに少なくとも部分的に基づいて、前記第1のRFスペクトル帯域上で送信ビームのセットのうちの1つまたは複数の送信ビームを使用して前記ダウンリンク送信を前記UEに送信することとを行わせるように動作可能である、装置。
【請求項４７】
ワイヤレス通信のための装置であって
プロセッサと、
前記プロセッサと電子通信しているメモリと、
前記メモリに記憶された命令とを備え、前記命令が、前記プロセッサによって実行されたとき、前記装置に、
ダウンリンク送信が前記装置に送信するために利用可能であることを示す事前許可メッセージを基地局から受信することであって、前記ダウンリンク送信は、第1の無線周波数(RF)スペクトル帯域上で送信するために利用可能である、受信することと、
前記事前許可メッセージを受信することに少なくとも部分的に基づいてリッスンビフォアトーク(LBT)手順を実行することと、
クリアチャネルを示す前記LBT手順に少なくとも部分的に基づいて、チャネル予約信号を第2のRFスペクトル帯域上で送信することと、
前記事前許可メッセージに対する応答を前記第2のRFスペクトル帯域上で前記基地局に送信することとを行わせるように動作可能である、装置。
【請求項４８】
ワイヤレス通信のためのコードを記憶する非一時的コンピュータ可読記憶媒体であって、前記コードが、
ダウンリンク送信がユーザ機器(UE)に送信するために利用可能であることを示す事前許可メッセージを前記UEに送信することであって、前記ダウンリンク送信は、第1の無線周波数(RF)スペクトル帯域上で送信するために利用可能である、送信することと、
前記事前許可メッセージに対する応答を第2のRFスペクトル帯域上で前記UEから受信することと、
前記事前許可メッセージに対する前記応答を受信することに少なくとも部分的に基づいて、前記第1のRFスペクトル帯域上で送信ビームのセットのうちの1つまたは複数の送信ビームを使用して前記ダウンリンク送信を前記UEに送信することとを行うようにプロセッサによって実行可能な命令を含む、非一時的コンピュータ可読記憶媒体。
【請求項４９】
ワイヤレス通信のためのコードを記憶する非一時的コンピュータ可読記憶媒体であって、前記コードが、
ダウンリンク送信がユーザ機器(UE)に送信するために利用可能であることを示す事前許可メッセージを基地局から受信することであって、前記ダウンリンク送信は、第1の無線周波数(RF)スペクトル帯域上で送信するために利用可能である、受信することと、
前記事前許可メッセージを受信することに少なくとも部分的に基づいてリッスンビフォアトーク(LBT)手順を実行することと、
クリアチャネルを示す前記LBT手順に少なくとも部分的に基づいて、チャネル予約信号を第2のRFスペクトル帯域上で送信することと、
前記事前許可メッセージに対する応答を前記第2のRFスペクトル帯域上で前記基地局に送信することとを行うようにプロセッサによって実行可能な命令を含む、非一時的コンピュータ可読記憶媒体。
【発明の詳細な説明】
【技術分野】
【０００１】
相互参照
本特許出願は、各々が本出願の譲受人に譲渡された、2018年9月17日に出願された「Listen-Before-Talk And Channel Reservation For Millimeter Wave Systems」と題する、SUNらによる米国特許出願第16/133,163号、および2017年9月19日に出願された「Listen-Before-Talk And Channel Reservation For Millimeter Wave Systems」と題する、SUNらによる米国仮特許出願第62/560,473号の利益を主張する。
【０００２】
以下は、一般に、ワイヤレス通信に関し、より詳細には、ミリメートル波(mmW)システムのためのリッスンビフォアトーク(LBT)およびチャネル予約に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例は、ロングタームエボリューション(LTE)システムまたはLTEアドバンスト(LTE-A)システムなどの第4世代(4G)システム、およびニューラジオ(NR)システムと呼ばれることがある第5世代(5G)システムを含む。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM)などの技術を採用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
いくつかのワイヤレス通信システムは、異なる無線周波数(RF)スペクトル帯域もしくは異なる無線アクセス技術(RAT)または両方がアップリンク通信もしくはダウンリンク通信または両方に対してペアにされたクロスバンドペアリングをサポートし得る。たとえば、いくつかのワイヤレス通信システムは、ダウンリンク内のmmW帯域(たとえば、30GHzから300GHzまでの範囲の帯域など、6GHz超)と、アップリンク内のサブ6GHz(たとえば、6GHz未満の範囲内の帯域)および/またはmmW帯域とをペアにする場合がある。しかしながら、そのようなペアリングは、チャネル予約メッセージをUEおよび基地局を含むワイヤレスデバイスに提供することに対して困難を生じる場合がある。たとえば、いくつかのUEは、両帯域内の通信をサポートする一方で、他のUEは、1つの帯域内の通信のみサポートする場合がある。他の例では、ワイヤレスデバイスは、1つの帯域内でダウンリンク(アップリンクではない)をサポートし、別の帯域内でアップリンク(ダウンリンクではない)をサポートする場合がある。その上、サブ6GHz帯域内のカバレージエリアが、mmW帯域内のカバレージエリアとは異なる場合がある。したがって、チャネル予約手順をサポートするための改良された技法が望まれる。
【発明の概要】
【課題を解決するための手段】
【０００５】
説明する技法は、ミリメートル波(mmW)システムのためのリッスンビフォアトーク(LBT)およびチャネル予約をサポートする、改良された方法、システム、デバイス、または装置に関する。一般に、記載する技法は、第1の無線周波数(RF)スペクトル帯域上のダウンリンク送信および第2のRFスペクトル帯域上のアップリンク送信を提供する。第1のRFスペクトル帯域はサブ6GHz帯域であってもよく、無認可帯域または共有アクセス帯域であってもよい。第2のRFスペクトル帯域はサブmmW帯域であってもよく、無認可帯域または共有アクセス帯域または認可帯域であってもよい。基地局は、事前許可メッセージを第1のRFスペクトル帯域上でユーザ機器(UE)に送信し得る。事前許可メッセージは、ダウンリンク送信が第1のRFスペクトル帯域上でUEに送信するために利用可能であることを示し得る。事前許可メッセージを受信すると、UEは、第2のRFスペクトル帯域内のLBT手順を実行し得る。次いで、UEは、クリアチャネルを示すLBT手順の成功した結果に基づいて、チャネル予約信号を第2のRFスペクトル帯域上で送信し得る。たとえば、第1のRFスペクトル帯域内でダウンリンク送信をUEが受信することになることを示すために、UEは、チャネル予約信号を近隣基地局または近隣UEに送信し得る。それゆえ、UEは、第1のRFスペクトル帯域内で同じく動作している(すなわち、ダウンリンクおよび/またはアップリンクの送信を実行している)場合がある近隣基地局および/またはUEからもたらされる干渉を緩和し得る。近隣の基地局および/またはUEは、チャネル予約メッセージを第2のRFスペクトル帯域上でUEから受信して、ダウンリンク送信の持続時間の間バックオフするようにトリガし得る。LBT手順に成功した後、チャネル予約メッセージを送信すると、UEは、事前許可メッセージに対する応答を第2のRFスペクトル帯域上で基地局に送信し得る。基地局は、事前許可応答メッセージを受信して、ダウンリンク送信を第1のRFスペクトル帯域上でUEに送信し得る。
【０００６】
ワイヤレス通信の方法が説明される。方法は、ダウンリンク送信がUEに送信するために利用可能であることを示す事前許可メッセージを基地局から受信するステップであって、ダウンリンク送信は第1のRFスペクトル帯域上で送信するために利用可能である、ステップと、事前許可メッセージを受信することに基づいてLBT手順を実行するステップと、クリアチャネルを示すLBT手順に基づいてチャネル予約信号を第2のRFスペクトル帯域上で送信するステップと、事前許可メッセージに対する応答を第2のRFスペクトル帯域上で基地局に送信するステップとを含み得る。
【０００７】
ワイヤレス通信のための装置が説明される。装置は、ダウンリンク送信がUEに送信するために利用可能であることを示す事前許可メッセージを基地局から受信するための手段であって、ダウンリンク送信は第1のRFスペクトル帯域上で送信するために利用可能である、手段と、事前許可メッセージを受信することに基づいてLBT手順を実行するための手段と、クリアチャネルを示すLBT手順に基づいてチャネル予約信号を第2のRFスペクトル帯域上で送信するための手段と、事前許可メッセージに対する応答を第2のRFスペクトル帯域上で基地局に送信するための手段とを含み得る。
【０００８】
ワイヤレス通信のための別の装置が説明される。本装置は、プロセッサと、プロセッサと電子通信しているメモリと、メモリに記憶された命令とを含み得る。命令は、ダウンリンク送信がUEに送信するために利用可能であることを示す事前許可メッセージを基地局から受信することであって、ダウンリンク送信は第1のRFスペクトル帯域上で送信するために利用可能である、受信することと、事前許可メッセージを受信することに基づいてLBT手順を実行することと、クリアチャネルを示すLBT手順に基づいてチャネル予約信号を第2のRFスペクトル帯域上で送信することと、事前許可メッセージに対する応答を第2のRFスペクトル帯域上で基地局に送信することとをプロセッサに行わせるように動作され得る。
【０００９】
ワイヤレス通信のための非一時的コンピュータ可読媒体が説明される。非一時的コンピュータ可読媒体は、ダウンリンク送信がUEに送信するために利用可能であることを示す事前許可メッセージを基地局から受信することであって、ダウンリンク送信は第1のRFスペクトル帯域上で送信するために利用可能である、受信することと、事前許可メッセージを受信することに基づいてLBT手順を実行することと、クリアチャネルを示すLBT手順に基づいてチャネル予約信号を第2のRFスペクトル帯域上で送信することと、事前許可メッセージに対する応答を第2のRFスペクトル帯域上で基地局に送信することとをプロセッサに行わせるように動作可能な命令を含み得る。
【００１０】
上記で説明した方法、装置、非一時的コンピュータ可読媒体のいくつかの例は、ダウンリンク送信を第1のRFスペクトル帯域上で基地局から受信するためのプロセス、特徴、手段、または命令をさらに含んでもよく、ダウンリンク送信は、第1のRFスペクトル帯域上で送信ビームのセットのうちの1つまたは複数の送信ビームを使用して基地局によって送信される。上記で説明した方法、装置、および非一時的コンピュータ可読媒体のいくつかの例は、ダウンリンク送信をUEにおいて受信することに応答して1つまたは複数の肯定応答(ACK)または否定応答(NACK)メッセージを、第2のRFスペクトル帯域上で基地局に送信するためのプロセス、特徴、手段、または命令をさらに含み得る。
【００１１】
上記で説明した方法、装置、および非一時的コンピュータ可読媒体のいくつかの例では、事前許可メッセージは、第1のRFスペクトルまたは第2のRFスペクトルの中で受信され得る。上記で説明した方法、装置、および非一時的コンピュータ可読媒体のいくつかの例は、事前許可メッセージを受信することに基づいてLBT手順を第1のRFスペクトル帯域内で実行するためのプロセス、特徴、手段、または命令をさらに含み得る。上記で説明した方法、装置、および非一時的コンピュータ可読媒体のいくつかの例は、事前許可メッセージを受信することに基づいてLBT手順を第2のRFスペクトル帯域内で実行するためのプロセス、特徴、手段、または命令をさらに含み得る。上記で説明した方法、装置、および非一時的コンピュータ可読媒体のいくつかの例は、第2のLBT手順を第2のRFスペクトル帯域内で実行するためのプロセス、特徴、手段、または命令をさらに含み得、チャネル予約信号を送信することは、クリアチャネルを示すLBT手順および第2のクリアチャネルを示す第2のLBT手順に基づく場合がある。
【００１２】
上記で説明した方法、装置、および非一時的コンピュータ可読媒体のいくつかの例では、事前許可メッセージは、送信機会(TxOP)の持続時間を示す。上記で説明した方法、装置、および非一時的コンピュータ可読媒体のいくつかの例では、チャネル予約信号は持続時間を示すプリアンブルを含む。上記で説明した方法、装置、および非一時的コンピュータ可読媒体のいくつかの例では、LBT手順は、カテゴリー4 LBTもしくはワンショットLBTまたはそれらの組合せを含む。上記で説明した方法、装置、および非一時的コンピュータ可読媒体のいくつかの例は、チャネル予約信号を搬送するアップリンクキャリアを周波数分割複信するためのプロセス、特徴、手段、または命令をさらに含み得る。
【００１３】
上記で説明した方法、装置、および非一時的コンピュータ可読媒体のいくつかの例は、チャネル予約信号を搬送するアップリンクキャリアを時分割複信するためのプロセス、特徴、手段、または命令をさらに含み得る。上記で説明した方法、装置、および非一時的コンピュータ可読媒体のいくつかの例では、チャネル予約送信は、物理アップリンク制御チャネル(PUCCH)波形であり得る。上記で説明した方法、装置、および非一時的コンピュータ可読媒体のいくつかの例では、第1のRFスペクトル帯域は6GHzより上のRFスペクトル帯域を含み、第2のRFスペクトル帯域は6GHzより下のRFスペクトル帯域を含む。上記で説明した方法、装置、および非一時的コンピュータ可読媒体のいくつかの例では、第1のRFスペクトル帯域は無認可または共有アクセスRFスペクトル帯域を含み、第2のRFスペクトル帯域は無認可もしくは共有アクセスRFスペクトル帯域または認可RFスペクトル帯域を含む。上記で説明した方法、装置、および非一時的コンピュータ可読媒体のいくつかの例では、第2のRFスペクトル帯域は認可RFスペクトル帯域を含み、認可RFスペクトル帯域は、周波数分割複信(FDD)認可スペクトル帯域または時分割複信(TDD)認可スペクトル帯域を含む。
【００１４】
方法、装置、および非一時的コンピュータ可読媒体のいくつかの例では、事前許可メッセージは、事前許可メッセージ送信に対するクリアチャネルを示すためにリッスンビフォアトーク(LBT)手順を実行することなく送信される。
【００１５】
方法、装置、および非一時的コンピュータ可読媒体のいくつかの例では、UEからの送信は、第1のスペクトル帯域内でアップリンク受信能力を欠くことに少なくとも部分的に基づいて、第1のスペクトル帯域以外のスペクトル帯域内で受信される。
【００１６】
ワイヤレス通信の方法が説明される。方法は、ダウンリンク送信がUEに送信するために利用可能であることを示す事前許可メッセージをUEに送信するステップであって、ダウンリンク送信は第1のRFスペクトル帯域上で送信するために利用可能である、ステップと、事前許可メッセージに対する応答を第2のRFスペクトル帯域上でUEから受信するステップと、事前許可メッセージに対する応答を受信することに基づいて、第1のRFスペクトル帯域上で送信ビームのセットのうちの1つまたは複数の送信ビームを使用してダウンリンク送信をUEに送信するステップとを含み得る。
【００１７】
ワイヤレス通信のための装置が説明される。装置は、ダウンリンク送信がUEに送信するために利用可能であることを示す事前許可メッセージをUEに送信するための手段であって、ダウンリンク送信は第1のRFスペクトル帯域上で送信するために利用可能である、手段と、事前許可メッセージに対する応答を第2のRFスペクトル帯域上でUEから受信するための手段と、事前許可メッセージに対する応答を受信することに基づいて、第1のRFスペクトル帯域上で送信ビームのセットのうちの1つまたは複数の送信ビームを使用してダウンリンク送信をUEに送信するための手段とを含み得る。
【００１８】
ワイヤレス通信のための別の装置が説明される。この装置は、プロセッサと、プロセッサと電子通信しているメモリと、メモリに記憶された命令とを含み得る。命令は、ダウンリンク送信がUEに送信するために利用可能であることを示す事前許可メッセージをUEに送信することであって、ダウンリンク送信は第1のRFスペクトル帯域上で送信するために利用可能である、送信することと、事前許可メッセージに対する応答を第2のRFスペクトル帯域上でUEから受信することと、事前許可メッセージに対する応答を受信することに基づいて、第1のRFスペクトル帯域上で送信ビームのセットのうちの1つまたは複数の送信ビームを使用してダウンリンク送信をUEに送信することとをプロセッサに行わせるように動作可能であり得る。
【００１９】
ワイヤレス通信のための非一時的コンピュータ可読媒体が説明される。非一時的コンピュータ可読媒体は、ダウンリンク送信がUEに送信するために利用可能であることを示す事前許可メッセージをUEに送信することであって、ダウンリンク送信は第1のRFスペクトル帯域上で送信するために利用可能である、送信することと、事前許可メッセージに対する応答を第2のRFスペクトル帯域上でUEから受信することと、事前許可メッセージに対する応答を受信することに基づいて、第1のRFスペクトル帯域上で送信ビームのセットのうちの1つまたは複数の送信ビームを使用してダウンリンク送信をUEに送信することとをプロセッサに行わせるように動作可能な命令を含み得る。
【００２０】
上記で説明した方法、装置、および非一時的コンピュータ可読媒体のいくつかの例は、事前許可メッセージを第2のRFスペクトル帯域内でUEに送信するためのプロセス、機能、手段、または命令をさらに含み得る。上記で説明した方法、装置、および非一時的コンピュータ可読媒体のいくつかの例は、LBT手順を第2のRFスペクトル帯域内で実行するためのプロセス、特徴、手段、または命令をさらに含み得、事前許可メッセージは、クリアチャネルを示すLBT手順に基づいて送信され得る。上記で説明した方法、装置、および非一時的コンピュータ可読媒体のいくつかの例は、事前許可メッセージを第1のRFスペクトル帯域または第2のRFスペクトル帯域内でUEに送信するためのプロセス、機能、手段、または命令をさらに含み得る。
【００２１】
上記で説明した方法、装置、および非一時的コンピュータ可読媒体のいくつかの例は、ダウンリンク送信をUEに送信することに応答して1つまたは複数のACKまたはNACKメッセージを、第2のRFスペクトル帯域上でUEから受信するためのプロセス、特徴、手段、または命令をさらに含み得る。上記で説明した方法、装置、および非一時的コンピュータ可読媒体のいくつかの例では、事前許可メッセージはTxOPの持続時間を示す。
【００２２】
上記で説明した方法、装置、および非一時的コンピュータ可読媒体のいくつかの例は、チャネル予約信号を第2のRFスペクトル帯域上で第2のUEから受信するための、プロセス、機能、手段、または命令をさらに含み得る。上記で説明した方法、装置、および非一時的コンピュータ可読媒体のいくつかの例は、チャネル予約信号を受信することに基づいて第1のRFスペクトル帯域上で送信することを控えるためのプロセス、特徴、手段、または命令をさらに含み得る。上記で説明した方法、装置、および非一時的コンピュータ可読媒体のいくつかの例では、チャネル予約信号は持続時間を示すプリアンブルを含み、基地局は示された持続時間の間、送信することを控える。
【００２３】
上記で説明した方法、装置、および非一時的コンピュータ可読媒体のいくつかの例では、チャネル予約送信はPUCCH波形であり得る。上記で説明した方法、装置、および非一時的コンピュータ可読媒体のいくつかの例では、第1のRFスペクトル帯域は6GHzより上のRFスペクトル帯域を含み、第2のRFスペクトル帯域は6GHzより下のRFスペクトル帯域を含む。上記で説明した方法、装置、および非一時的コンピュータ可読媒体のいくつかの例では、第1のRFスペクトル帯域は無認可または共有アクセスRFスペクトル帯域を含み、第2のRFスペクトル帯域は無認可もしくは共有アクセスRFスペクトル帯域または認可RFスペクトル帯域を含む。上記で説明した方法、装置、および非一時的コンピュータ可読媒体のいくつかの例では、第2のRFスペクトル帯域は認可RFスペクトル帯域を含み、認可RFスペクトル帯域は、FDD認可スペクトル帯域またはTDD認可スペクトル帯域を含む。
【００２４】
上記で説明した方法、装置、および非一時的コンピュータ可読媒体のいくつかの例では、UEからの送信は、第1のスペクトル帯域内でアップリンク送信能力を欠くことに少なくとも部分的に基づいて、第1のスペクトル帯域以外のスペクトル帯域内で送信される。
【図面の簡単な説明】
【００２５】
【図１】本開示の態様による、ミリメートル波システムのためのLBTおよびチャネル予約をサポートするワイヤレス通信システムの一例を示す図である。
【図２】本開示の態様による、ミリメートル波システムのためのLBTおよびチャネル予約をサポートするシステムの一例を示す図である。
【図３】本開示の態様による、ミリメートル波システムのためのLBTおよびチャネル予約をサポートするプロセスフローの一例を示す図である。
【図４】本開示の態様による、ミリメートル波システムのためのLBTおよびチャネル予約をサポートするプロセスフローの一例を示す図である。
【図５】本開示の態様による、ミリメートル波システムのためのLBTおよびチャネル予約をサポートするプロセスフローの一例を示す図である。
【図６】本開示の態様による、ミリメートル波システムのためのリッスンビフォアトークおよびチャネル予約をサポートするデバイスのブロック図である。
【図７】本開示の態様による、ミリメートル波システムのためのリッスンビフォアトークおよびチャネル予約をサポートするデバイスのブロック図である。
【図８】本開示の態様による、ミリメートル波システムのためのリッスンビフォアトークおよびチャネル予約をサポートするデバイスのブロック図である。
【図９】本開示の態様による、ミリメートル波システムのためのリッスンビフォアトークおよびチャネル予約をサポートするUEを含むシステムのブロック図である。
【図１０】本開示の態様による、ミリメートル波システムのためのリッスンビフォアトークおよびチャネル予約をサポートするデバイスのブロック図である。
【図１１】本開示の態様による、ミリメートル波システムのためのリッスンビフォアトークおよびチャネル予約をサポートするデバイスのブロック図である。
【図１２】本開示の態様による、ミリメートル波システムのためのリッスンビフォアトークおよびチャネル予約をサポートするデバイスのブロック図である。
【図１３】本開示の態様による、ミリメートル波システムのためのリッスンビフォアトークおよびチャネル予約をサポートする基地局を含むシステムのブロック図である。
【図１４】本開示の態様による、ミリメートル波システムのためのリッスンビフォアトークおよびチャネル予約のための方法を示す図である。
【図１５】本開示の態様による、ミリメートル波システムのためのリッスンビフォアトークおよびチャネル予約のための方法を示す図である。
【図１６】本開示の態様による、ミリメートル波システムのためのリッスンビフォアトークおよびチャネル予約のための方法を示す図である。
【図１７】本開示の態様による、ミリメートル波システムのためのリッスンビフォアトークおよびチャネル予約のための方法を示す図である。
【発明を実施するための形態】
【００２６】
サービング基地局およびユーザ機器(UE)は、第1の無線周波数(RF)スペクトル帯域もしくは第2のRFスペクトル帯域または両方の上で送信を実行し得る。加えて、第1および第2のRFスペクトル帯域は、共有アクセスまたは無認可であり得る。場合によっては、第1のRFスペクトル帯域はmmW帯域であり得、第2のRFスペクトル帯域はサブ6ギガヘルツ(GHz)帯域であり得る。サービング基地局およびUEがダウンリンクチャネル上で通信している場合、UEに地理的に近接している近隣デバイス(たとえば、近隣基地局および/またはUE)も、ダウンリンクチャネル内でダウンリンク送信も通信している場合がある。
【００２７】
ダウンリンクチャネル上のダウンリンク送信のこの共存は、ダウンリンク送信をダウンリンクチャネル上でサービング基地局から受信することを試みているUEに対する干渉をもたらす場合がある。さらに、場合によっては、UEは、mmW帯域システムに関連する制限された送信電力およびカバレージエリアに起因して、ダウンリンクおよび/またはアップリンクのチャネル使用を示すために、1つまたは複数の近隣デバイスに届くメッセージを送信することができない場合がある。説明する技法は、より高いデータレートを提供し、伝送容量、スペクトル効率を改善し、かつ共存を強化する一方で、チャネル予約信号を第2のRFスペクトル帯域上で近隣デバイスに提供しながら第1のRFスペクトル帯域上でダウンリンク送信をサポートすることによって、mmWシステム内の干渉を低減し得る。
【００２８】
基地局は、事前許可メッセージをUEに送信し得る。事前許可メッセージは、ダウンリンク送信が第1のRFスペクトル帯域上でUEに送信するために利用可能であることを示し得る。この場合、第1のRFスペクトル帯域は、6GHzより上のRFスペクトル帯域(たとえば、30GHzから300GHzまでの範囲の帯域などのミリメートル波(mmW)帯域)であり得る。UEは、事前許可メッセージを第1のRFスペクトル帯域上で基地局から受信し得る。事前許可メッセージを受信すると、UEは、リッスンビフォアトーク(LBT)手順を実行し得る。UEは、LBT手順を第2のRFスペクトル帯域内で実行し得る。第2のRFスペクトル帯域は、6GHzより下のRFスペクトル帯域(たとえば、サブ6GHz帯域)であり得る。場合によっては、UEは、事前許可メッセージを第2のRFスペクトル帯域内で受信し得る。
【００２９】
次いで、UEは、LBT手順の成功した結果に基づいて、チャネル予約信号を第2のRFスペクトル帯域上で送信し得る。たとえば、UEは、UEがダウンリンク送信を受信することまたはアップリンク送信を実行することになることを示すために、チャネル予約信号を1つまたは複数の近隣デバイスに送信し得る。たとえば、チャネル予約信号は、UEに関連する送信機会の長さを示す持続時間フィールドを有し得る。そのため、UEは、UEに地理的に近接する近隣デバイスからもたらされる干渉を緩和し得る。1つまたは複数の近隣デバイスは、チャネル予約メッセージ内で示される送信機会の持続時間の間、1つまたは複数の近隣デバイスがバックオフするようにトリガし得るチャネル予約メッセージを、第2のRFスペクトル帯域上でUEから受信し得る。
【００３０】
LBT手順に成功した後、チャネル予約メッセージを送信すると、UEは、事前許可メッセージに対する応答を第2のRFスペクトル帯域上で基地局に送信し得る。基地局は、応答メッセージをUEから受信し、ダウンリンク送信を第1のRFスペクトル帯域上で送信ビームのセットを使用してUEに送信し得る。たとえば、基地局は、データをmmW帯域ダウンリンクチャネル上で送信し得る。UEは、ダウンリンク送信を受信することに応答して、1つまたは複数の肯定応答(ACK)または否定応答(NACK)メッセージを第2のRFスペクトル帯域(たとえば、サブ6GHz帯域アップリンクチャネル)上で基地局に送信し得る。
【００３１】
本開示の態様について、初めにワイヤレス通信システムの文脈で説明する。例示的なUEおよび基地局(たとえば、発展型ノードB(eNB)、次世代ノードB(gNB))、システム、およびmmWシステムのためのLBTおよびチャネル予約をサポートするプロセスフロー。本開示の態様は、mmWシステムのためのLBTおよびチャネル予約に関連する装置図、システム図、およびフローチャートによってさらに示され、それらを参照しながら説明される。
【００３２】
図1は、本開示の態様による、mmWシステムのためのLBTおよびチャネル予約をサポートするワイヤレス通信のためのシステム100の一例を示す。システム100は、基地局105と、UE115と、コアネットワーク130とを含む。いくつかの例では、システム100は、ロングタームエボリューション(LTE)ネットワーク、LTEアドバンスト(LTE-A)ネットワーク、またはニューラジオ(NR)ネットワークであり得る。いくつかの場合には、システム100は、拡張ブロードバンド通信、超高信頼(たとえば、ミッションクリティカル)通信、低レイテンシ通信、または低コストおよび低複雑度デバイスを用いた通信をサポートし得る。
【００３３】
基地局105は、1つまたは複数の基地局アンテナを介してUE115とワイヤレス通信し得る。本明細書で説明する基地局105は、基地トランシーバ局、無線基地局、アクセスポイント、無線トランシーバ、ノードB、eノードB(eNB)、(そのいずれもgNBと呼ばれることがある)次世代ノードBまたはギガノードB、ホームノードB、ホームeノードB、あるいは何らかの他の好適な用語を含み得るか、あるいは、そのように当業者によって呼ばれることがある。システム100は、異なるタイプの基地局105(たとえば、マクロセル基地局またはスモールセル基地局)を含み得る。本明細書で説明するUE115は、マクロeNB、スモールセルeNB、gNB、リレー基地局などを含む、様々なタイプの基地局105およびネットワーク機器と通信することが可能であり得る。
【００３４】
各基地局105は、様々なUE115との通信がサポートされる特定の地理的カバレージエリア110と関連付けられ得る。各基地局105は、通信リンク125を介してそれぞれの地理的カバレージエリア110のための通信カバレージを提供し得、基地局105とUE115との間の通信リンク125は、1つまたは複数のキャリアを利用し得る。システム100において示される通信リンク125は、UE115から基地局105へのアップリンク送信または基地局105からUE115へのダウンリンク送信を含み得る。ダウンリンク送信は、順方向リンク送信と呼ばれることもあり、アップリンク送信は、逆方向リンク送信と呼ばれることもある。
【００３５】
システム100は、異なるRFスペクトル帯域もしくはRATまたは両方が、アップリンク通信もしくはダウンリンク通信または両方に対してペアにされたクロスバンドペアリングもサポートし得る。たとえば、システム100は、ダウンリンク内のmmW帯域とアップリンク内のサブ6GHz帯域および/またはmmW帯域とをペアにしてもよく、その逆も同様。いくつかのUE115は、両帯域内の通信をサポートし得る一方で、他のUE115は、1つの帯域内の通信のみサポートし得る。システム100のいくつかの例では、基地局105およびUE115は、第1のRFスペクトル帯域もしくは第2のRFスペクトル帯域または両方の上で送信を実行し得る。加えて、第1および第2のRFスペクトル帯域は、認可であっても無認可であってもよく、または異なるユーザもしくは事業者によって共有される認可RFスペクトルを含む、共有の認可RFスペクトル帯域であってもよい。場合によっては、第1のRFスペクトル帯域はmmW帯域であり得、第2のRFスペクトル帯域はサブ6GHz帯域であり得る。基地局105およびUE115がmmW帯域のダウンリンクまたはアップリンクチャネル上で通信している場合、基地局105およびUE115に地理的に近接している近隣基地局および/またはUEが、同じく、mmW帯域のダウンリンクまたはアップリンクチャネル上で動作している場合がある。これらの近隣基地局105および/またはUE115は、UE115に対する干渉をもたらす場合がある。さらに、場合によっては、UE115は、mmW帯域と関連付けられた制限された送信電力およびカバレージエリアに起因して、ダウンリンクおよび/またはアップリンクのチャネル使用を示すために、近隣基地局105および/またはUE115に届くメッセージを送信することができない場合がある。そのため、システム100は、より高いデータレートを提供し、送信容量、スペクトル効率を改善し、共存を強化しながら、システム100内の干渉を低減するための技法を提供し得る。
【００３６】
基地局105は、事前許可メッセージを通信リンク125を介してUE115に送信し得る。事前許可メッセージは、ダウンリンク送信が第1のRFスペクトル帯域上でUE115に送信するために利用可能であることを示し得る。この場合、第1のRFスペクトル帯域は、6GHzより上のRFスペクトル帯域(たとえば、mmW帯域)であり得る。UE115は、事前許可メッセージを第1のRFスペクトル帯域上で基地局105から受信し得る。事前許可メッセージを受信すると、UE115は、LBT手順を実行し得る。この場合、UE115は、LBT手順を第2のRFスペクトル帯域内で実行し得る。第2のRFスペクトル帯域は、6GHzより下のRFスペクトル帯域(たとえば、サブ6GHz帯域)であり得る。
【００３７】
次いで、UE115は、LBT手順の成功した結果に基づいて、チャネル予約信号を第2のRFスペクトル帯域上で送信し得る。たとえば、UE115は、UE115がダウンリンク送信を受信することまたはアップリンク送信を実行することになることを示すために、チャネル予約信号をサブ6GHz帯域アップリンクチャネルを介して1つまたは複数の近隣デバイスに送信し得る。チャネル予約信号は、UE115および基地局105と関連付けられた送信機会の長さを示す持続時間フィールドを有し得る。そのため、UE115は、同じくmmW帯域内で動作している近隣基地局105および/またはUE115からもたらされる干渉を緩和し得る。1つまたは複数の近隣基地局105および/またはUE115は、チャネル予約メッセージを第2のRFスペクトル帯域上でUE115から受信して、送信機会の持続時間の間、1つまたは複数の近隣基地局および/またはUEがバックオフするようにトリガし得る。
【００３８】
LBT手順に成功した後、チャネル予約メッセージを送信すると、UE115は、事前許可メッセージに対する応答を第2のRFスペクトル帯域上で基地局105に送信し得る。たとえば、UE115は、事前許可応答メッセージをサブ6GHz帯域アップリンクチャネル上で基地局105に送信し得る。基地局105は、事前許可応答メッセージをUE115から受信し、ダウンリンク送信を第1のRFスペクトル帯域(たとえば、mmW帯域ダウンリンクチャネル)上で送信ビームのセットのうちの1つまたは複数の送信ビームを使用してUE115に送信し得る。UE115は、ダウンリンク送信を受信することに応答して、1つまたは複数のACKまたはNACKメッセージを第2のRFスペクトル帯域(たとえば、サブ6GHz帯域アップリンクチャネル)上で基地局105に送信し得る。
【００３９】
基地局105のための地理的カバレージエリア110は、地理的カバレージエリア110の一部分のみを構成するセクタに分割され得、各セクタはセルと関連付けられ得る。たとえば、各基地局105は、マクロセル、スモールセル、ホットスポット、または他のタイプのセル、あるいはそれらの様々な組合せのための通信カバレージを提供し得る。いくつかの例では、基地局105は可動であり、したがって、移動している地理的カバレージエリア110のための通信カバレージを提供し得る。いくつかの例では、異なる技術に関連する異なる地理的カバレージエリア110は、重複し得、異なる技術に関連する重複する地理的カバレージエリア110は、同じ基地局105によって、または異なる基地局105によってサポートされ得る。システム100は、たとえば、異なるタイプの基地局105が様々な地理的カバレージエリア110のためのカバレージを提供する異種LTE/LTE-AまたはNRネットワークを含み得る。
【００４０】
「セル」という用語は、(たとえば、キャリア上での)基地局105との通信のために使用される論理通信エンティティを指し、同じまたは異なるキャリアを介して動作するネイバリングセルを区別するための識別子(たとえば、物理セル識別子(PCID)、仮想セル識別子(VCID))と関連付けられ得る。いくつかの例では、キャリアは、複数のセルをサポートし得、異なるセルは、異なるタイプのデバイスのためのアクセスを提供し得る異なるプロトコルタイプ(たとえば、マシンタイプ通信(MTC)、狭帯域モノのインターネット(NB-IoT)、拡張モバイルブロードバンド(eMBB)、または他のもの)に従って構成され得る。いくつかの場合には、「セル」という用語は、その上で論理エンティティが動作する地理的カバレージエリア110(たとえば、セクタ)の一部分を指し得る。
【００４１】
UE115は、システム100全体にわたって分散されることがあり、各UE115は固定式または移動式であることがある。UE115は、モバイルデバイス、ワイヤレスデバイス、リモートデバイス、ハンドヘルドデバイス、または加入者デバイス、あるいは何らかの他の好適な用語で呼ばれることもあり、ここで、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなど、パーソナル電子デバイスであり得る。いくつかの例では、UE115はまた、器具、車両、メーターなど、様々な物品中で実装され得る、ワイヤレスローカルループ(WLL)局、モノのインターネット(IoT)デバイス、あらゆるモノのインターネット(IoE:Internet of Everything)デバイス、またはMTCデバイスなどを指し得る。
【００４２】
MTCデバイスまたはIoTデバイスなど、いくつかのUE115は、低コストまたは低複雑度デバイスであり得、マシン間の自動化された通信を(たとえば、マシンツーマシン(M2M)通信を介して)提供し得る。M2M通信またはMTCは、人が介在することなく、デバイスが互いにまたは基地局105と通信することを可能するデータ通信技術を指すことがある。いくつかの例では、M2M通信またはMTCは、センサーまたはメーターを組み込んで情報を測定またはキャプチャし、その情報を利用することができる中央サーバまたはアプリケーションプログラムにその情報を中継するか、またはプログラムもしくはアプリケーションと対話する人にその情報を提示するデバイスからの通信を含む場合がある。いくつかのUE115は、情報を集めるか、またはマシンの自動化された挙動を可能にするように設計され得る。MTCデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００４３】
いくつかのUE115は、半二重通信(たとえば、送信または受信を介する一方向通信をサポートするが、送信および受信を同時にサポートしないモード)など、電力消費を低減する動作モードを採用するように構成され得る。いくつかの例では、半二重通信は、低減されたピークレートにおいて実行され得る。UE115に対する他の電力節約技法は、アクティブ通信に関与していないとき、または(狭帯域通信に従って)制限された帯域幅上で動作するときに節電「ディープスリープ」モードに入ることを含む。いくつかの場合、UE115は、クリティカル機能(たとえば、ミッションクリティカル機能)をサポートするように設計され得、システム100はこれらの機能のために高信頼通信を提供するように構成され得る。
【００４４】
いくつかの場合には、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数が、基地局105の地理的カバレージエリア110内にあり得る。そのようなグループ中の他のUE115は、基地局105の地理的カバレージエリア110外にあるか、または場合によっては基地局105からの送信を受信できないことがある。いくつかの場合には、D2D通信を介して通信するUE115のグループは、各UE115がグループ中のあらゆる他のUE115に送信する1対多(1:M)システムを利用し得る。いくつかの場合には、基地局105が、D2D通信のためのリソースのスケジューリングを促進する。他の場合には、D2D通信は、基地局105の関与なしにUE115間で行われる。
【００４５】
基地局105は、コアネットワーク130および互いと通信し得る。たとえば、基地局105は、バックホールリンク132を通して(たとえば、S1または別のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００４６】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、発展型パケットコア(EPC)であり得、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCに関連する基地局105によってサービスされるUE115のためのモビリティ、認証、およびベアラ管理など、非アクセス層(たとえば、制御プレーン)機能を管理し得る。ユーザIPパケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００４７】
基地局105などのネットワークデバイスのうちの少なくともいくつかは、アクセスネットワークエンティティなどのサブコンポーネントを含んでよく、アクセスネットワークエンティティは、アクセスノードコントローラ(ANC)の一例であってよい。各アクセスネットワークエンティティは、その各々が、無線ヘッド、スマート無線ヘッド、または送信/受信ポイント(TRP)と呼ばれることがある、いくつかの他のアクセスネットワーク送信エンティティを通してUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合され得る。
【００４８】
システム100は、一般的に300MHzから300GHzの範囲で、1つまたは複数の周波数帯域を使用して動作し得る。概して、300MHzから3GHzの領域は、超高周波(UHF)領域またはデシメートル帯域として知られているが、これは、波長の長さが、およそ1デシメートルから1メートルに及ぶからである。UHF波は、建物および環境特性によってブロックされ得るか、またはリダイレクトされ得る。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF:very high frequency)部分のより低い周波数およびより長い波を使用する送信と比較して、より小型のアンテナおよびより短い距離(たとえば、100km未満)と関連付けられ得る。システム100はまた、センチメートル帯域としても知られている、3GHzから30GHzまでの周波数帯域を使用する超高周波(SHF)領域の中で動作し得る。SHF領域は、他のユーザからの干渉を許容し得るデバイスによって日和見的に使用され得る5GHz産業科学医療(ISM)帯域などの帯域を含む。6GHz未満の、たとえばISM帯域を含むセンチメートル帯域(SHF領域)の部分は、サブ6GHz帯域内に含まれ得る。デシメートル帯域(UHF領域)の部分も、サブ6GHz帯域内に含まれ得る。
【００４９】
システム100は、ミリメートル帯域(mmW帯域)としても知られている、(たとえば、30GHzから300GHzの)スペクトルの極高周波(EHF:extremely high frequency)領域内でも動作し得る。いくつかの例では、システム100は、UE115と基地局105との間のmmW通信をサポートし得、それぞれのデバイスのEHFアンテナは、UHFアンテナよりも、さらに小さくてもよく、より密に間隔があけられてもよい。場合によっては、これは、UE115内のアンテナアレイの使用を容易にし得る。しかしながら、EHF送信の伝搬は、SHF送信またはUHF送信よりもさらに大きい大気減衰およびより短い距離を受けることがある。本明細書で開示する技法は、1つまたは複数の異なる周波数領域を使用する送信にわたって採用されてよく、これらの周波数領域にわたる帯域の指定された使用は、国ごとにまたは規制団体ごとに異なり得る。
【００５０】
場合によっては、システム100は、認可と無認可の両方のRFスペクトル帯域を使用し得る。たとえば、システム100は、5GHz ISM帯域などの無認可帯域においてライセンス支援アクセス(LAA)、LTE無認可(LTE-U)無線アクセス技術(RAT)、またはNR技術を採用し得る。無認可RFスペクトル帯域の中で動作するとき、基地局105およびUE115などのワイヤレスデバイスは、データを送信する前に周波数チャネルがクリアであることを保証するためにLBT手順を採用し得る。場合によっては、無認可帯域の中での動作は、認可帯域(たとえば、LAA)の中で動作するCCと連携したCA構成に基づいてよい。無認可スペクトル内の動作は、ダウンリンク送信、アップリンク送信、ピアツーピア送信、またはそれらの組合せを含んでよい。無認可スペクトルでの複信は、周波数分割複信(FDD)、時分割複信(TDD)、またはその両方の組合せに基づいてよい。
【００５１】
いくつかの例では、基地局105またはUE115は、複数のアンテナを装備されてもよく、複数のアンテナは、送信ダイバーシティ、受信ダイバーシティ、多入力多出力(MIMO)通信、またはビームフォーミングなどの技法を採用するために使用され得る。たとえば、システム100は、送信デバイス(たとえば、基地局105)と受信デバイス(たとえば、UE115)との間の送信方式を使用することができ、ここで、送信デバイスは複数のアンテナを装備し、受信デバイスは1つまたは複数のアンテナを装備する。MIMO通信は、空間多重化と呼ばれることがある、異なる空間レイヤを介して複数の信号を送信または受信することによってスペクトル効率を高めるためにマルチパス信号伝搬を採用することができる。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコード語)または異なるデータストリームに関連するビットを搬送し得る。異なる空間レイヤは、チャネル測定および報告のために使用される異なるアンテナポートと関連付けられてよい。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００５２】
空間フィルタリング、指向性送信、または指向性受信と呼ばれることもあるビームフォーミングは、送信デバイスと受信デバイスとの間の空間経路に沿ってアンテナビーム(たとえば、送信ビームまたは受信ビーム)を整形または誘導する(steer)ために、送信デバイスまたは受信デバイス(たとえば、基地局105またはUE115)において使用され得る信号処理技法である。一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)は、種々の方向に複数回基地局105によって送信される場合があり、そのことは、信号が送信の種々の方向と関連付けられた種々のビームフォーミングの重みセットに従って送信されることを含み得る。
【００５３】
種々のビーム方向内の送信は、基地局105による後続の送信および/または受信のためのビーム方向を(たとえば、基地局105によってまたはUE115などの受信デバイスによって)識別するために使用され得る。特定の受信デバイスと関連付けられたデータ信号などのいくつかの信号は、単一のビーム方向(たとえば、UE115などの受信デバイスと関連付けられた方向)の中で基地局105によって送信され得る。いくつかの例では、単一のビーム方向に沿った送信と関連付けられたビーム方向は、種々のビーム方向に送信された信号に少なくとも部分的に基づいて決定され得る。たとえば、UE115は、種々の方向に基地局105によって送信された信号のうちの1つまたは複数を受信し得、UE115が最高の信号品質で受信した信号、またはさもなければ容認可能な信号品質で受信した信号の表示を、UE115が基地局105に報告し得る。これらの技法は、基地局105によって1つまたは複数の方向に送信された信号に関して説明されているが、UE115は、(たとえば、UE115による後続の送信または受信のためのビーム方向を識別するために)異なる方向に複数回信号を送信するため、または(たとえば、データを受信デバイスに送信するために)単一の方向に信号を送信するための同様の技法を採用し得る。
【００５４】
受信デバイス(たとえば、mmW受信デバイスの一例であり得るUE115)は、同期信号、基準信号、ビーム選択信号、または他の制御信号など、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に基づいて判定されたビーム方向(たとえば、複数のビーム方向に従った聴取に基づいて、最高信号強度、最高信号対雑音比、または別様に、許容信号品質を有すると判定されたビーム方向)で位置合わせされ得る。
【００５５】
いくつかの場合、システム100は、階層化されたプロトコルスタックに従って動作するパケットベースネットワークであり得る。ユーザプレーンでは、ベアラまたはパケットデータコンバージェンスプロトコル(PDCP:Packet Data Convergence Protocol)レイヤにおける通信はIPベースであり得る。無線リンク制御(RLC:Radio Link Control)レイヤが、いくつかの場合には、論理チャネル上で通信するためにパケットセグメンテーションおよびリアセンブリを実行し得る。媒体アクセス制御(MAC:Medium Access Control)レイヤが、優先度処理と、トランスポートチャネルへの論理チャネルの多重化とを実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルが物理チャネルにマッピングされ得る。
【００５６】
いくつかの場合には、UE115および基地局105は、データが正常に受信される可能性を高めるようにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線状態(たとえば、信号対雑音状態)においてMACレイヤにおけるスループットを改善し得る。いくつかの場合には、ワイヤレスデバイスが同スロットHARQフィードバックをサポートし得、ここで、デバイスは、特定のスロット中の前のシンボル中で受信されたデータについて、そのスロット中でHARQフィードバックを提供し得る。他の場合には、デバイスは、後続のスロット中で、または何らかの他の時間間隔に従ってHARQフィードバックを提供し得る。
【００５７】
LTEまたはNRにおける時間間隔は、たとえば、Ts=1/30,720,000秒のサンプリング周期を指す場合がある基本時間単位の倍数で表され得る。通信リソースの時間間隔は、各々が10ミリ秒(ms)の持続時間を有する無線フレームに従って編成されてもよく、ここでフレーム期間は、Tf=307,200Tsとして表現され得る。無線フレームは、0から1023に及ぶシステムフレーム番号(SFN)によって識別され得る。各フレームは、0から9までの番号を振られた10個のサブフレームを含んでもよく、各サブフレームは1msの持続時間を有し得る。サブフレームはさらに、各々が0.5msの持続時間を有する2つのスロットに分割されてもよく、各スロットは、(たとえば、各シンボル期間の先頭に追加されるサイクリックプレフィックスの長さに応じて)6または7個の変調シンボル期間を含み得る。サイクリックプレフィックスを除いて、各シンボル期間は、2048個のサンプル期間を含み得る。場合によっては、サブフレームは、システム100の最小スケジューリング単位であり得、送信時間間隔(TTI)と呼ばれることがある。他の場合には、システム100の最小スケジューリング単位は、サブフレームよりも短いことがあるか、または(たとえば、短縮TTI(sTTI)のバーストにおいて、またはsTTIを使用する選択されたコンポーネントキャリアにおいて)動的に選択されることがある。
【００５８】
いくつかのワイヤレス通信システムでは、スロットが、1つまたは複数のシンボルを含む複数のミニスロットにさらに分割され得る。いくつかの例では、ミニスロットのシンボルまたはミニスロットは、スケジューリングの最小単位であり得る。各シンボルは、たとえば、サブキャリア間隔または動作の周波数帯域に応じて持続時間が変化し得る。さらに、いくつかのワイヤレス通信システムは、複数のスロットまたはミニスロットが一緒にアグリゲートされ、UE115と基地局105との間の通信のために使用される、スロットアグリゲーションを実装し得る。
【００５９】
「キャリア」という用語は、通信リンク125上で通信をサポートするための定義された物理レイヤ構造を有するRFスペクトルリソースのセットを指す。たとえば、通信リンク125のキャリアは、所与の無線アクセス技術に関する物理レイヤチャネルに従って動作するRFスペクトル帯域の一部分を含み得る。各物理レイヤチャネルは、ユーザデータ、制御情報、または他のシグナリングを搬送することができる。キャリアは、事前定義された周波数チャネル(たとえば、E-UTRA絶対RFチャネル番号(EARFCN))と関連付けられてよく、UE115が発見するためのチャネルラスタに従って配置されてよい。キャリアは、ダウンリンクまたはアップリンク(たとえば、FDDモードにおける)であってもよく、またはダウンリンク通信およびアップリンク通信(たとえば、時分割複信(TDD)モードにおける)を搬送するように構成されてもよい。いくつかの例では、キャリア上で送信される信号波形は、(たとえば、直交周波数分割多重(OFDM)またはDFT-s-OFDMなど、マルチキャリア変調(MCM)技法を使用して)複数のサブキャリアから構成され得る。
【００６０】
キャリアの組織構造は、異なる無線アクセス技術(たとえば、LTE、LTE-A、NRなど)に対して異なる場合がある。たとえば、キャリア上の通信は、TTIまたはスロットに従って編成されてもよく、それらの各々は、ユーザデータならびにユーザデータの復号をサポートするための制御情報またはシグナリングを含んでもよい。キャリアはまた、専用の収集シグナリング(たとえば、同期信号またはシステム情報など)とキャリアに対する動作を調整する制御シグナリングとを含み得る。いくつかの例では(たとえば、キャリアアグリゲーション構成では)、キャリアは、他のキャリアに対する動作を調整する収集シグナリングまたは制御シグナリングも有し得る。
【００６１】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用してダウンリンクキャリア上で多重化され得る。いくつかの例では、物理制御チャネル内で送信される制御情報は、カスケード方式における異なる制御領域間(たとえば、共通の制御領域または共通の探索空間と1つまたは複数のUE固有の制御領域またはUE固有の探索空間との間)で分散され得る。
【００６２】
システム100(たとえば、基地局105またはUE115)のデバイスは、特定のキャリア帯域幅にわたって通信をサポートするハードウェア構成を有してもよく、またはキャリア帯域幅のセットのうちの1つの帯域幅にわたって通信をサポートするように構成可能であってもよい。いくつかの例では、システム100は、2つ以上の異なるキャリア帯域幅と関連付けられたキャリアを介して同時通信をサポートし得る基地局105および/またはUE115を含み得る。システム100は、複数のセルまたはキャリア上のUE115との通信をサポートし得、その通信の特徴は、キャリアアグリゲーション(CA)またはマルチキャリア動作と呼ばれることがある。UE115は、キャリアアグリゲーション構成に従って、複数のダウンリンクCCと1つまたは複数のアップリンクCCとで構成され得る。キャリアアグリゲーションは、FDDコンポーネントキャリアとTDDコンポーネントキャリアの両方を用いて使用されてよい。
【００６３】
NRシステムなどのシステムは、とりわけ、認可スペクトル帯域、共有スペクトル帯域、および無認可スペクトル帯域の任意の組合せを利用し得る。eCCシンボル持続時間およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００６４】
図2は、本開示の様々な態様による、mmWシステムのためのLBTおよびチャネル予約をサポートするシステム200の一例を示す。いくつかの例では、システム200は、システム100の態様を実装し得る。システム200は、図1を参照しながら説明した対応するデバイス(たとえば、基地局105またはUE115)の例であり得る、基地局105-a、基地局105-b、およびUE115-aを含み得る。図2の例では、システム200は、5GまたはNRのRATなどのRATに従って動作し得るが、本明細書で説明する技法は、任意のRATに、および2つ以上の異なるRATを同時に使用し得るシステムに適用され得る。場合によっては、システム200は、5GまたはNRのRATに従って動作し得、UE115-aに対するネットワークスライシングを使用してUEモビリティをサポートし得る。システム200は、アップリンク通信もしくはダウンリンク通信または両方をペアにすることをサポートし得る。たとえば、基地局105-a、基地局105-b、およびUE115-aは、ダウンリンク内のmmW帯域とアップリンク内のサブ6GHz帯域および/またはmmW帯域とをペアにし得る。場合によっては、UE115-aは、両帯域内で通信をサポートし得る。代替的に、他の場合には、UE115-aは、1つの帯域内でのみ通信をサポートし得る。
【００６５】
UE115-aは、双方向リンク225を介して基地局105-aもしくは基地局105-bまたは両方と通信し得る。基地局105-aは地理的カバレージエリア110-aと関連付けられてもよく、基地局105-bは地理的カバレージエリア110-bと関連付けられてもよい。地理的カバレージエリア110は、地理的カバレージエリア110の一部分を構成するセクタに分割されてもよく、各セクタはセルと関連付けられてもよい。たとえば、基地局105-aまたは基地局105-bは、マクロセル、スモールセル、ホットスポットもしくは他のタイプのセル、またはそれらの様々な組合せのための通信カバレージを提供し得る。いくつかの例では、地理的カバレージエリア110-aと地理的カバレージエリア110-bとは重複してもよい。
【００６６】
基地局105-aおよびUE115-aは、第1のRFスペクトル帯域もしくは第2のRFスペクトル帯域または両帯域上で送信を実行し得る。加えて、第1および第2のRFスペクトル帯域は、共有認可を含めて認可もしくは無認可であってもよく、またはそれらの組合せあってもよい。場合によっては、第1のRFスペクトル帯域はmmW帯域であり得、第2のRFスペクトル帯域はサブ6GHz帯域であり得る。基地局105-aおよびUE115-aがmmW帯域ダウンリンクチャネル上で通信している場合、UE115-aに地理的に近接している近隣基地局105-bも、mmW帯域ダウンリンクチャネル内でダウンリンク送信を通信している場合がある。mmW帯域ダウンリンクチャネル上のダウンリンク送信のこの共存は、ダウンリンク送信をmmW帯域ダウンリンクチャネル上で基地局105-aから受信することを試みているUE115-aに干渉をもたらす場合がある。さらに、場合によっては、UE115-aは、mmW帯域に関連する制限された送信電力およびカバレージエリアに起因して、ダウンリンクおよび/またはアップリンクのチャネル使用を示すために、近隣基地局105-bに届くメッセージをmmW帯域内で送信することができない場合がある。そのため、本明細書で説明する技法は、より高いデータレートを提供し、送信容量、スペクトル効率を改善し、共存を強化しながら、mmWシステム内の干渉を低減し得る。
【００６７】
基地局105-aは、事前許可メッセージをUE115-aに送信し得る。事前許可メッセージは、ダウンリンク送信が第1のRFスペクトル帯域上でUE115-aに送信するために利用可能であることを示し得る。UE115-aは、事前許可メッセージを第1のRFスペクトル帯域上で基地局105-aから受信し得る。事前許可メッセージを受信すると、UE115-aは、LBT手順を実行し得る。UE115-aは、LBT手順を第2のRFスペクトル帯域内で実行し得る。次いで、UE115-aは、LBT手順の成功した結果に基づいて、チャネル予約信号を第2のRFスペクトル帯域上で送信し得る。たとえば、UE115-aは、UE115-aがダウンリンク送信を受信することまたはアップリンク送信を実行することになることを示すために、チャネル予約信号を近隣基地局105-bに送信し得る。たとえば、チャネル予約信号は、UE115-aと関連付けられた送信機会の長さを示す持続時間フィールドを有し得る。そのため、UE115-aは、近隣基地局105-bからもたらされる干渉を緩和し得る。近隣基地局105-bは、送信機会の持続時間の間、近隣基地局105-bがバックオフするようにトリガし得るチャネル予約メッセージを、第2のRFスペクトル帯域上でUE115-aから受信し得る。
【００６８】
LBT手順が成功した後、チャネル予約メッセージを送信すると、UE115-aは、事前許可メッセージに対する応答を第2のRFスペクトル帯域上で基地局105-aに送信し得る。基地局105-aは、UE115-aから応答メッセージを受信し、ダウンリンク送信を第1のRFスペクトル帯域上で送信ビームのセットを使用してUE115-aに送信し得る。たとえば、基地局105-aは、データをmmW帯域ダウンリンクチャネル上で送信し得る。UE115-aは、ダウンリンク送信を受信することに応答して、1つまたは複数のACKまたはNACKメッセージを第2のRFスペクトル帯域(たとえば、サブ6GHz帯域アップリンクチャネル)上で基地局105-aに送信し得る。
【００６９】
その結果、UE115-aは、データを第1のRFスペクトル帯域(たとえば、mmW帯域ダウンリンクチャネル)上で基地局105-aから受信し、メッセージ(たとえば、ACK、NACK、事前許可応答、チャネル予約信号など)を第2のRFスペクトル帯域(たとえば、サブ6GHz帯域アップリンクチャネル)上で送信し得る。加えて、システム200は、送信容量、スペクトル効率を改善し、共存を強化しながら、近隣基地局105からの干渉を低減するための技法を提供し得る。
【００７０】
図3は、本開示の様々な態様による、mmWシステムのためのLBTおよびチャネル予約をサポートするプロセスフロー300の一例を示す。いくつかの例では、プロセスフロー300は、システム100および200の態様を実装し得る。UE115-bは、図1または図2を参照しながら説明したUEのうちのそれぞれのUEの態様の一例であり得る。基地局105-cおよび基地局105-dは、図1および図2を参照しながら説明した基地局のうちのそれぞれの基地局の態様の一例であり得る(たとえば、基地局105-cは基地局105-aの態様の一例であり、基地局105-dは基地局105-bの態様の一例であり得る)。プロセスフロー300は、異なるRFスペクトル帯域およびRATが、アップリンク通信もしくはダウンリンク通信または両方に対してペアにされたクロスバンドペアリングもサポートし得る。たとえば、基地局105-c、基地局105-d、およびUE115-bは、ダウンリンク内のmmW帯域とアップリンク内のサブ6GHz帯域および/またはmmW帯域とをペアにし得る。場合によっては、UE115-bは、両帯域内で通信をサポートし得る。代替的に、他の場合には、UE115-bは、1つの帯域内で通信することのみをサポートする場合がある(たとえば、UE115-bはサブ6GHz帯域内でのみ送信し、サブ6GHz帯域およびmmW帯域の一方または両方の中で受信することができる場合がある)。そのため、プロセスフロー300は、サブ6GHz帯域より下のRFスペクトル帯域内で構成される送信機(または受信機)とペアにされた、サブ6GHz帯域より上のRFスペクトル帯域内で構成される受信機(または送信機)をサポートし得る。たとえば、プロセスフロー300は、サブ6GHz帯域アップリンクとペアにされたmmWダウンリンクをサポートし得る。
【００７１】
プロセスフロー300の以下の説明では、基地局105-c、UE115-bおよび基地局105-dの間の動作は、示される例示的な順序とは異なる順序で送信されることがあり、または、基地局105-c、UE115-bもしくは基地局105-dによって実行される動作は、異なる順序で、もしくは異なる時間に実行されることがある。いくつかの動作がプロセスフロー300からなくされることもあり、または他の動作がプロセスフロー300に追加されることがある。
【００７２】
プロセスフロー300は、認可と無認可の両方のRFスペクトル帯域を使用し得る。たとえば、プロセスフロー300は、LAA、LTE無認可(LTE-U)無線アクセス技術、または無認可帯域内のNR技術を採用し得る。無認可RFスペクトル帯域の中で動作するとき、基地局105-c、基地局105-d、およびUE115-bは、情報(たとえば、パケット、メッセージ、データ)を送信する前に周波数チャネルがクリアであることを保証するためにLBT手順を採用し得る。場合によっては、無認可帯域の中での動作は、認可帯域(たとえば、LAA)の中で動作するコンポーネントキャリアと連携したキャリアアグリゲーション構成に基づいてもよい。無認可スペクトル内の動作は、ダウンリンク送信、アップリンク送信、ピアツーピア送信、またはそれらの任意の組合せを含んでよい。
【００７３】
基地局105-cは、同じかまたは異なるRFスペクトル帯域上で構成された1つまたは複数の受信機および送信機を含み得る。この場合、基地局105-cは、mmW帯域(たとえば、6GHzより上の帯域)上で動作するように構成された送信機320-aと、サブ6GHz帯域(たとえば、6GHzより下の帯域)上で動作するように構成された受信機325-aとを有し得る。受信機325-aは、メッセージ、パケット、ユーザデータ、または様々な情報チャネル(たとえば、制御チャネル、データチャネル、および事前許可応答メッセージに関連する情報など)と関連付けられた制御情報などの情報を受信し得る。受信機325-aは、単一のアンテナまたはアンテナのセットを利用し得る。加えて、送信機320-aは、ダウンリンク送信をUE115-bに送信し得る。
【００７４】
基地局105-dは、同じかまたは異なるRFスペクトル帯域上で構成された受信機および送信機も含み得る。この場合、基地局105-dは、mmW帯域(たとえば、6GHzより上の帯域)内で動作するように構成された送信機320-bと、サブ6GHz帯域(たとえば、6GHzより下の帯域)内で動作するように構成された受信機325-bとを有し得る。受信機325-bは、メッセージ、パケット、ユーザデータ、または様々な情報チャネル(たとえば、制御チャネル、データチャネル、およびチャネル予約信号に関連する情報など)と関連付けられた制御情報などの情報を受信し得る。加えて、送信機320-bは、ダウンリンク送信をUE115-bに送信し得る。
【００７５】
追加または代替として、UE115-bは、同じかまたは異なるRFスペクトル帯域上で構成された受信機および送信機を含み得る。UE115-bは、mmW帯域(たとえば、6GHzより上の帯域、および特に30GHz〜300GHzの範囲の1つまたは複数の帯域を含む)内で動作するように構成された受信機330と、サブ6GHz帯域(たとえば、6GHzより下の帯域、および特に300MHz超で6GHz未満の範囲内の1つまたは複数の帯域内、それらは3GHzから6GHzまでのセンチメートル帯域、900MHz帯域、2.4GHz帯域などの部分内の1つまたは複数の帯域を含み得る)内で動作するように構成された送信機335とを有し得る。受信機330は、様々な情報チャネル(たとえば、制御チャネル、データチャネル、および事前許可メッセージに関連する情報など)と関連付けられたデータまたは制御情報を受信し得る。加えて、送信機335は、アップリンク送信(たとえば、事前許可応答メッセージ、チャネル予約メッセージ)を基地局105-c、基地局105-d、または両方に送信し得る。
【００７６】
プロセスフロー300は、送信機会(TxOP)340も含み得る。TxOP340は、基地局105-cおよびUE115-bが、互いの間でダウンリンク送信およびアップリンク送信を実行することが可能である持続時間であり得る。TxOP340は、開始時間と最大持続時間(たとえば、終了時間)とを有し得る。場合によっては、TxOP340は、基地局105-cによって構成され得る。345において、基地局105-cは、事前許可メッセージをmmW帯域(たとえば、6GHzより上の帯域)ダウンリンクチャネル上で送信機320-aを使用してUE115-bに送信し得る。事前許可メッセージは、1つまたは複数のフィールドを含むパケットであり得、パケット内の少なくとも1つのフィールドは、TxOP340をUE115-bに示し得る。
【００７７】
場合によっては、基地局105-cは、事前許可メッセージを送信機320-aを使用して1つまたは複数のダウンリンク送信ビーム(たとえば、mmW帯域送信ビーム)上でUE115-bに送信し得る。mmW帯域ダウンリンク送信ビームは、ビームフォーミング方式で基地局105-cによって送信され得、角度カバレージ領域またはセクタを通して掃引し得る。いくつかの例では、基地局105-cは、事前許可メッセージを可変ビーム幅もしくは種々の仰角または両方を有するmmW帯域ダウンリンク送信ビーム上で送信し得る。mmW帯域ダウンリンク送信ビームは、ビームインデックスにも関連付けられる場合もある。ビームインデックスは、mmW帯域ダウンリンク送信ビームが基地局105-cから発生することを識別する、UE115-bに対するインジケータであり得る。基地局105-cは、サブフレームの異なるシンボル期間の間にmmW帯域ダウンリンク送信ビームも送信し得る。たとえば、基地局105-cは、事前許可メッセージをサブフレームの第3のシンボル期間(たとえば、シンボル2)の間にmmW帯域ダウンリンク送信ビーム上で送信し得る。
【００７８】
UE115-bは、事前許可メッセージを受信機330を使用してmmW帯域ダウンリンクチャネル上で基地局105-cから受信し得る。基地局105-cとUE115-bとの間のダウンリンク送信はmmW帯域内にあるので、UE115-bは、近隣基地局105(たとえば、基地局105-d)またはUE115によってもたらされる干渉から受信機330を保護しなければならない場合がある。しかしながら、基地局105-cに対して、受信機325-a上にmmW帯域アップリンクトラフィックはないので、受信機325-aの保護は不要である場合がある。UE115-bの受信機330を保護するために、UE115-bは、近隣基地局105またはUE115からもたらされる干渉の存在を決定するために、LBT手順を1つまたは複数のmmW帯域ダウンリンクチャネル上で実行し得る。
【００７９】
350において、UE115-bは、LBT手順をmmW帯域ダウンリンクチャネル上で実行し得る。LBT手順は、受信機330を介して実行され得る。加えて、LBT手順は、カテゴリー4 LBTもしくはワンショットLBTまたはそれらの組合せであり得る。場合によっては、UE115-bは、ビーム掃引と関連付けられた範囲に基づいてダウンリンクビーム掃引手順と関連付けられた範囲を決定し得る。いくつかの例では、範囲は複数のしきい値、たとえば、干渉のレベルを決定する異なるレベルの内部しきい値を含み得る。UE115-bは、LBT手順に基づいて1つまたは複数の近隣基地局105またはUE115の存在も識別し得る。
【００８０】
UE115-bは、LBT手順に基づいて干渉を検出し、検出された干渉がしきい値(たとえば、信号対干渉プラス雑音比(SINR)の値)を満足するかどうかを決定し得る。この場合、UE115-bは、何らかの干渉を基地局105-dから検出し得る。干渉がしきい値を満足するとUE115-bが決定する場合、UE115-bは、基地局105-cから受信された事前許可メッセージを無視してもよい。しかしながら、代替的に、UE115-bは、干渉はしきい値より低いと決定して、1つまたは複数のチャネル予約手順を実行する場合がある。UE115-bはまた、チャネル予約情報を基地局105-dに送信する前に、LBT手順を送信機335を介して1つまたは複数のサブ6GHz帯域アップリンクチャネル上で実行する場合がある。
【００８１】
355において、受信機330は、チャネル予約信号を送信することを含む1つまたは複数のチャネル予約手順を送信機335が実行するようにトリガし得る。場合によっては、UE115-bは、チャネル予約信号をmmW帯域アップリンクチャネル内で送信することができない場合がある(たとえば、UE115-bは、mmW帯域アップリンク送信能力を有しない場合がある)。場合によっては、基地局105-cおよび/または105-dは、チャネル予約信号をmmW帯域アップリンクチャネル内で受信することができない場合がある(たとえば、基地局は、mmW帯域アップリンク受信能力を有しない場合がある)。360において、UE115-bは、チャネル予約信号を送信機335を使用して1つまたは複数のサブ6GHz帯域アップリンクチャネル上で基地局105-dに送信し得る。場合によっては、UE115-bは、受信機330もしくは送信機335または両方の上で実行されたLBT手順の成功した結果に基づいてチャネル予約信号を送信し得る。チャネル予約信号は、TxOP340持続時間を示し得る。たとえば、チャネル予約信号はパケットであってもよく、TxOP340持続時間表示はパケットのプリアンブルのフィールド内に埋め込まれてもよい。TxOP340持続時間表示は、プリアンブルのフィールド内の1つまたは複数のビットを使用して示され得る。いくつかの例では、チャネル予約信号は、UE115-bに対する干渉をもたらす1つまたは複数のmmW帯域ダウンリンク送信ビームを示し得る。たとえば、UE115-bは、基地局105-dのうちの1つないし3つのmmW帯域ダウンリンク送信ビームが、(たとえば、しきい値(たとえば、SINR)を満足することに基づいて)干渉をもたらしており、UE115-bの方に向けられていることを識別する場合がある。場合によっては、チャネル予約信号は、基地局105-dのmmW帯域ダウンリンクチャネル、送信に対する電力スペクトル密度(PSD)制限などの共存情報を含み得る。
【００８２】
場合によっては、UE115-bは、チャネル予約信号を搬送するアップリンクキャリア上で周波数分割複信を実行し得るか、またはアップリンクキャリア上で時分割複信を実行し得る。いくつかの例では、チャネル予約信号送信は、物理アップリンク制御チャネル(PUCCH)波形上にあり得る。PUCCH波形は、専用の波形であり得る。場合によっては、UE115-bは、オンデマンドLBT手順を利用してもよく、同様に、基地局105-dのタイミング情報に気付いている場合がある。場合によっては、ペイロードサイズは3ビット以上を含み得るので、UE115-bは、3ビット以上を有するチャネル予約信号の送信に対するPUCCH(たとえば、ロングまたはショート)を再使用し得る。場合によっては、チャネル予約信号を搬送するアップリンクキャリアが周波数分割複信される場合、アップリンクチャネル予約信号送信はLBT手順に依存せず、UE115-bはその信号を任意のスロット内で送信してもよい。代替的に、チャネル予約信号を搬送するアップリンクキャリアが時分割複信される場合、アップリンクチャネル予約信号送信は、同じく、LBT手順に依存する必要はない。UE115-bは、基地局105-dが聴取している(たとえば、LBTを実行している)ときに、アップリンクチャネル予約信号送信を送信し得る。
【００８３】
いくつかの例では、基地局105-cまたは基地局105-dは、他の非サービングUE115に対してチャネル予約機会を頻繁に提供し得る。たとえば、基地局105-dが自己完結型スロット構造(たとえば、ダウンリンクセントリックまたはアップリンクセントリックのいずれか)を使用している場合、短縮PUCCH(sPUCCH)ベースのチャネル予約信号送信は、アップリンク共通制御セグメントの間に送信され得る。追加または代替として、基地局105-c、基地局105-dおよび/または他の基地局105は、周波数アップリンクスロットを構成し得る。アップリンク送信機会は、UE115-bにおいて示され得る(たとえば、UE115はチャネル予約信号を送信する)。いくつかの例では、プロセスフロー300は、異なるネットワーク事業者にわたる同期を仮定してもよく、または少なくとも基地局105-cまたは基地局105-dのタイミングは、監視または設定(configuration)を介してUE115-bに知られている場合がある。
【００８４】
アップリンクチャネル(たとえば、サブ6GHz帯域アップリンクチャネル)が無認可であるいくつかの場合には、UE115-bは、チャネル予約信号および事前許可応答の送信の前に、LBT手順を実行し得る。場合によっては、サブ6GHz帯域アップリンクチャネルにおけるLBT手順の失敗は、チャネルがそれ自体のLBT手順に合格する場合でも同様に、mmW帯域ダウンリンクチャネルをブロックする場合がある。そのため、基地局105-cおよびUE115-bは、サブ6GHz帯域アップリンクチャネルにおけるLBT手順が後で合格する場合に、事前許可を受ける追加の機会をUE115-bに与えるために、TxOP340内で、より多くのチャネル予約信号送信もしくは事前許可応答機会または両方をスケジュールしてもよい。
【００８５】
365において、基地局105-dの受信機325-bは、TxOP340の持続時間の間、送信機320-bがバックオフするようにトリガし得る。370において、基地局105-dは、mmW帯域ダウンリンクチャネル送信を送信機320-bを介して実行することを控えてもよい。代替的に、基地局105-dは、UE115-bによってチャネル予約信号内で示される、識別されたmmWダウンリンク送信ビーム上でのみ、mmW帯域ダウンリンクチャネル送信を実行することを控えてもよい。このようにして、基地局105-d(すなわち、干渉基地局)はバックオフして、mmW帯域ダウンリンク送信ビームをUE115-bにおいて基地局105-cから受信することを保護し得る。バックオフは、バックオフ持続時間372と関連付けられ得る。いくつかの例では、バックオフ持続時間372は、TxOP340と比較して、長さが同じであっても異なってもよい。
【００８６】
375において、UE115-bは、事前許可応答メッセージを送信機335を介して基地局105-cに送信し得る。基地局105-cは、事前許可メッセージを受信機325-aを介して受信し得る。380において、受信機325-aは、UE115-bへのダウンリンク送信を送信機320-aが実行するようにトリガし得る。385において、基地局105-cは、データを送信機320-aを使用して1つまたは複数のダウンリンク送信上でUE115-bに送信し得る。データは、送信機320-aを使用して1つまたは複数のmmWダウンリンク送信ビーム上で送信され得る。1つまたは複数のmmWダウンリンク送信ビームは、ビームフォーミング方式で基地局105-cによって送信され得る。UE115-bは、データを受信機330を介して1つまたは複数のmmW帯域ダウンリンク受信ビーム上で受信し得る。場合によっては、基地局105-cのmmW帯域ダウンリンク送信ビームおよびUE115-bのmmWダウンリンク受信ビームは、完全なまたは部分的なビームの相互関係または対応関係を有し得る。たとえば、基地局105-cの第1のmmW帯域ダウンリンク送信ビームは、UE115-bのmmW帯域ダウンリンク受信ビームとペアにされてもよい。
【００８７】
390において、UE115-bは、ダウンリンク送信を送信機335を介して受信することに応答して1つまたは複数のACKまたはNACKメッセージを送信し得る。そのため、UE115-bは、データを第1のRFスペクトル帯域(たとえば、mmW帯域ダウンリンクチャネル)上で基地局105-cから受信し、メッセージ(たとえば、ACK、NACK、事前許可応答、チャネル予約信号など)を第2のRFスペクトル帯域(たとえば、サブ6GHz帯域アップリンクチャネル)上で送信し得る。たとえば、UE115-bは、ACKまたはNACKメッセージをPUCCH上で送信し得る。
【００８８】
図4は、本開示の様々な態様による、mmWシステムのためのLBTおよびチャネル予約をサポートするプロセスフロー400の一例を示す。いくつかの例では、プロセスフロー400は、システム100〜300の態様を実装し得る。UE115-cは、図1〜図3を参照しながら説明したUEのうちのそれぞれのUEの態様の一例であり得る。基地局105-eおよび基地局105-fは、図1〜図3を参照しながら説明した基地局のうちのそれぞれの基地局の態様の一例であり得る。プロセスフロー400は、異なるRFスペクトル帯域およびRATがアップリンク通信もしくはダウンリンク通信または両方に対してペアにされたクロスバンドペアリングもサポートし得る。たとえば、基地局105-e、基地局105-f、およびUE115-cは、ダウンリンク内のmmW帯域とアップリンク内のサブ6GHz帯域および/またはmmW帯域とをペアにし得る。場合によっては、UE115-cは、両帯域内で通信をサポートし得る。代替的に、他の場合には、UE115-cは、1つの帯域内でのみ通信をサポートし得る。そのため、プロセスフロー400は、サブ6GHz帯域より下のRFスペクトル帯域内で構成される送信機(または受信機)とペアにされた、サブ6GHz帯域より上のRFスペクトル帯域内で構成される受信機(または送信機)をサポートし得る。たとえば、プロセスフロー400は、サブ6GHz帯域アップリンクおよびダウンリンクとペアにされたmmWダウンリンクLAAをサポートし得る。
【００８９】
プロセスフロー400の以下の説明では、基地局105-e、UE115-cおよび基地局105-fの間の動作は、示される例示的な順序とは異なる順序で送信されることがあり、または、基地局105-e、UE115-cもしくは基地局105-fによって実行される動作は、異なる順序で、もしくは異なる時間に実行されることがある。いくつかの動作がプロセスフロー400からなくされることもあり、または他の動作がプロセスフロー400に追加されることがある。プロセスフロー400は、認可と無認可の両方のRFスペクトル帯域を使用し得る。たとえば、プロセスフロー400は、LAA、LTE-U無線アクセス技術、または無認可帯域内のNR技術を採用し得る。無認可RFスペクトル帯域の中で動作するとき、基地局105-e、基地局105-f、およびUE115-cは、データまたは制御情報を送信する前に周波数チャネルがクリアであることを保証するためにLBT手順を採用し得る。無認可スペクトル内の動作は、ダウンリンク送信、アップリンク送信、ピアツーピア送信、またはそれらの任意の組合せを含んでよい。
【００９０】
基地局105-eは、同じかまたは異なるRFスペクトル帯域上で構成された1つまたは複数の受信機および送信機を有し得る。基地局105-eは、mmW帯域内で動作するように構成された送信機420-a、サブ6GHz帯域内で動作するように構成された送信機425-a、およびサブ6GHz帯域内で同様に動作するように構成された受信機430-aを有し得る。受信機430-aは、メッセージ、パケット、または様々な情報チャネル(たとえば、制御チャネル、データチャネル、および事前許可応答メッセージに関連する情報など)と関連付けられた制御情報などの情報を受信し得る。送信機420-aもしくは送信機425-aまたは両方は、ダウンリンク送信をUE115-cに送信し得る。
【００９１】
基地局105-fは、同じかまたは異なるRFスペクトル帯域上で構成された受信機および送信機も有し得る。基地局105-fは、mmW帯域内で動作するように構成された送信機420-b、サブ6GHz帯域内で動作するように構成された送信機425-b、およびサブ6GHz帯域アップリンク受信機として同様に構成された受信機430-bを有し得る。受信機430-bは、メッセージ、または様々な情報チャネル(たとえば、制御チャネル、データチャネル、および事前許可応答メッセージに関連する情報など)と関連付けられた制御情報などの情報を受信し得る。
【００９２】
追加または代替として、UE115-cは、同じかまたは異なるRFスペクトル帯域上で構成された受信機および送信機を有し得る。UE115-cは、mmW帯域内で動作するように構成された受信機435、サブ6GHz帯域内で動作するように構成された受信機440、およびサブ6GHz帯域内で同様に動作するように構成された送信機445を有し得る。受信機435および受信機440は、メッセージ、パケット、または様々な情報チャネルと関連付けられた制御情報などの情報を受信し得る。送信機445は、アップリンク送信(たとえば、事前許可応答メッセージ、チャネル予約メッセージ、スケジュール情報)を基地局105-eもしくは基地局105-fまたは両方に送信し得る。
【００９３】
プロセスフロー400は、TxOP450も有し得る。TxOP450は、基地局105-eおよびUE115-cが、ダウンリンク送信およびアップリンク送信を実行することを許容される長さであり得る。TxOPは、開始時間と終了時間とを有し得る。場合によっては、TxOP450は、基地局105-eによって構成され得る。455において、基地局105-eは、事前許可メッセージを送信機425-aを使用して1つまたは複数のサブ6GHz帯域ダウンリンクチャネル上でUE115-cに送信し得る。事前許可メッセージは、1つまたは複数のフィールドを含むパケットであり得、パケット内の少なくとも1つのフィールドは、TxOP450を示し得る。いくつかの例では、事前許可メッセージは、ダウンリンクスケジューリング割当て(たとえば、物理ダウンリンク共有チャネル(PDSCH)リソース表示、HARQ情報、制御情報関連空間多重化およびPUCCHアップリンク物理チャネルの電力制御のためのコマンドなど)、もしくはアップリンク許可スケジューリング(たとえば、物理アップリンク共有チャネル(PUSCH)リソース表示、HARQ情報、チャネルステータス、PUSCHアップリンク物理チャネルの電力制御のためのコマンドなど)、または両方を含み得る。いくつかの例では、事前許可メッセージは、ダウンリンク制御情報(DCI)メッセージの一部であり得る。場合によっては、基地局105-eは、事前許可メッセージを1つまたは複数のダウンリンクキャリアを使用してUE115-cに送信し得る。キャリアは、物理レイヤチャネル(たとえば、物理ダウンリンク制御チャネル(PDCCH))に従って動作されるRFスペクトル帯域(たとえば、サブ6GHz帯域)の一部を含み得る。場合によっては、1つまたは複数のダウンリンクキャリアは、あらかじめ規定された周波数チャネルと関連付けられ得る。キャリアは、ダウンリンクまたはアップリンク(たとえば、FDDモードにおける)であってもよく、またはダウンリンク通信およびアップリンク通信(たとえば、TDDモードにおける)を搬送するように構成されてもよい。
【００９４】
UE115-cは、事前許可メッセージを受信機440を使用して1つまたは複数のサブ6GHz帯域ダウンリンクチャネル上で基地局105-eから受信し得る。UE115-cは、基地局105-eがUE115-cへのダウンリンク送信のために利用可能なデータを有し得ることを識別し得る。基地局105-eとUE115-cとの間のダウンリンク送信はmmW帯域内にあることになるので、UE115-cは、近隣基地局105および/またはUE115によってもたらされる干渉から受信機435を保護しなければならない場合がある。受信機435を干渉から保護するために、UE115-cは、LBT手順を受信機435を介して1つまたは複数のmmW帯域ダウンリンクチャネル上で実行して、近隣基地局105および/またはUE115からもたらされる干渉の存在を決定し得る。
【００９５】
460-aにおいて、受信機440は、LBT手順をUE115-cの受信機435が実行するようにトリガし得る。465において、UE115-cは、LBT手順を受信機435を介して1つまたは複数のmmW帯域ダウンリンクチャネル上で実行し得る。場合によっては、UE115-cは、ダウンリンクビーム掃引手順と関連付けられた範囲を決定して、その範囲(たとえば、いくつかのmmW帯域ダウンリンクチャネル)内でLBTを実行し得る。UE115-cは、LBT手順に基づいて干渉を検出し、検出された干渉がしきい値(たとえば、SINR値)を満足するかどうかを決定し得る。UE115-cは、何らかの干渉を基地局105-fから検出し得る。干渉がしきい値を満足するとUE115-cが決定した場合、UE115-cは、基地局105-eから受信された事前許可メッセージを無視してもよい。代替的に、UE115-cは、干渉はしきい値より低いと決定して、チャネル予約手順を実行してもよい。UE115-cはまた、LBT手順を送信機445を介して1つまたは複数のサブ6GHz帯域アップリンクチャネル上で実行し得る。たとえば、UE115-cは、チャネル予約信号を送信する前に、アップリンクチャネルの1つまたは複数のRFスペクトル帯域を感知し得る。
【００９６】
460-bにおいて、受信機435は、チャネル予約信号を送信することを含む1つまたは複数のチャネル予約手順を送信機445が実行するようにトリガし得る。場合によっては、UE115-cは、チャネル予約信号をmmW帯域アップリンクチャネル内で送信することができない場合がある。470において、UE115-cは、チャネル予約信号を送信機445を使用して1つまたは複数のサブ6GHz帯域アップリンクチャネル上で基地局105-fに送信し得る。場合によっては、UE115-cは、受信機435もしくは送信機445または両方の上で実行されたLBT手順の成功した結果に基づいてチャネル予約信号を送信し得る。チャネル予約信号は、TxOP450持続時間を示し得る。たとえば、チャネル予約信号はパケットであってもよく、TxOP450の持続時間を含む表示は、パケットのプリアンブルのフィールド内に挿入されてもよい。場合によっては、UE115-cは、チャネル予約信号を搬送するアップリンクキャリア上で周波数分割複信を実行し得るか、またはアップリンクキャリア上で時分割複信を実行し得る。いくつかの例では、チャネル予約送信は、物理PUCCH波形であり得る。
【００９７】
460-cにおいて、基地局105-fの受信機430-bはチャネル予約メッセージを受信し、チャネル予約メッセージ内で提供される表示に基づいてTxOP450の持続時間の間、送信機420-bがバックオフするようにトリガし得る。475において、基地局105-fは、送信機420-bを介するすべてのダウンリンク送信を実行することを控えてもよい。場合によっては、基地局105-fは、干渉がしきい値より低くなるように、送信機420-b上のその送信電力を低減してもよい。このようにして、基地局105-f(たとえば、干渉基地局)はバックオフして、mmW帯域ダウンリンク送信ビームをUE115-cにおいて基地局105-eから受信することを保護し得る。バックオフは、バックオフ持続時間477と関連付けられ得る。いくつかの例では、バックオフ持続時間477は、TxOP450と比較して、持続時間が同じであっても異なってもよい。たとえば、場合によっては、バックオフ持続時間477は、TxOP450の持続時間の残りに対応する長さを有し得る。
【００９８】
485において、UE115-cは、事前許可応答メッセージを送信機445を介して1つまたは複数のサブ6GHz帯域アップリンクチャネル上で基地局105-eに送信し得る。基地局105-eは、事前許可メッセージを受信機430-aを介して受信し得る。460-dにおいて、受信機430-aは、UE115-cへのダウンリンク送信を送信機420-aが実行するようにトリガし得る。490において、基地局105-eは、データを1つまたは複数のmmW帯域ダウンリンクチャネル上で送信機420-aを介してUE115-cに送信し得る。データは、1つまたは複数のmmW帯域ダウンリンク送信ビーム上で送信され得る。1つまたは複数のmmW帯域ダウンリンク送信ビームは、ビームフォーミング方式で基地局105-eによって送信され得、角度カバレージ領域またはセクタを通して掃引し得る。
【００９９】
UE115-cは、データを受信機435を介して受信ビーム上のmmWダウンリンクチャネル上で受信し得る。場合によっては、基地局105-eのmmW帯域送信ビームおよびUE115-cのmmW帯域受信ビームは、完全なまたは部分的なビーム相反性(reciprocity)または対応関係を有し得る。495において、UE115-cは、データを送信機445を介して受信することに応答して1つまたは複数のACKまたはNACKメッセージを送信し得る。UE115-cは、ACKまたはNACKメッセージをPUCCH上で送信し得る。UE115-cはまた、HARQフィードバックを基地局105-eに提供し得る。その結果、UE115-cは、データを第1のRFスペクトル帯域(たとえば、mmW帯域ダウンリンクチャネル)上で基地局105-eから受信し、メッセージ(たとえば、ACK、NACK、事前許可応答、チャネル予約信号など)を第2のRFスペクトル帯域(たとえば、サブ6GHz帯域アップリンクチャネル)上で送信し得る。加えて、プロセスフロー400は、送信容量、スペクトル効率を改善し、共存を強化しながら、近隣基地局105および/またはUE115からの干渉を低減するための技法を提供し得る。
【０１００】
図5は、本開示の様々な態様による、mmWシステムのためのLBTおよびチャネル予約をサポートするプロセスフロー500の一例を示す。いくつかの例では、プロセスフロー500は、ワイヤレス通信システム100〜400の態様を実装し得る。UE115-dは、図1〜図4を参照しながら説明したUEのうちのそれぞれのUEの態様の一例であり得る。基地局105-gおよび基地局105-hは、図1〜図4を参照しながら説明した基地局のうちのそれぞれの基地局の態様の一例であり得る。
【０１０１】
プロセスフロー500は、異なるRFスペクトル帯域およびRATが、アップリンク通信もしくはダウンリンク通信または両方に対してペアにされたクロスバンドペアリングもサポートし得る。たとえば、基地局105-g、基地局105-h、およびUE115-dは、ダウンリンク内のmmW帯域とアップリンク内のサブ6GHz帯域および/またはmmW帯域とをペアにし得る。場合によっては、UE115-dは、両帯域内で通信をサポートし得る。代替的に、他の場合には、UE115-dは、1つの帯域内でのみ通信をサポートし得る。そのため、プロセスフロー500は、サブ6GHz帯域より下のRFスペクトル帯域内で構成される送信機(または受信機)とペアにされた、サブ6GHz帯域より上のRFスペクトル帯域内で構成される受信機(または送信機)をサポートし得る。たとえば、プロセスフロー500は、無認可サブ6GHz帯域アップリンクおよびダウンリンクとペアにされたmmWダウンリンク(たとえば、LAA)をサポートし得る。
【０１０２】
プロセスフロー500の以下の説明では、基地局105-g、UE115-dおよび基地局105-hの間の動作は、示される例示的な順序とは異なる順序で送信されることがあり、または、基地局105-g、UE115-dもしくは基地局105-hによって実行される動作は、異なる順序で、もしくは異なる時間に実行されることがある。いくつかの動作がプロセスフロー500からなくされることもあり、または他の動作がプロセスフロー500に追加されることがある。プロセスフロー500は、認可と無認可の両方のRFスペクトル帯域を使用し得る。たとえば、プロセスフロー500は、LAA、LTE-U無線アクセス技術、または無認可帯域内のNR技術を採用し得る。無認可RFスペクトル帯域の中で動作するとき、基地局105-g、基地局105-h、およびUE115-dは、LBT手順を実行して、チャネル上でデータを送信する前に周波数チャネルがクリアであると決定し得る。無認可スペクトルでの動作は、ダウンリンク送信、アップリンク送信、またはその両方を含んでよい。
【０１０３】
基地局105-gは、同じかまたは異なるRFスペクトル帯域上で構成された1つまたは複数の受信機および送信機を有し得る。基地局105-gは、mmW帯域内で動作するように構成された送信機520-a、サブ6GHz帯域内で動作するように構成された送信機525-a、および同様にサブ6GHz帯域内で動作するように構成された受信機530-aを有し得る。受信機530-aは、メッセージ、パケット、または様々な情報チャネル(たとえば、制御チャネル、データチャネル、および事前許可応答メッセージに関連する情報など)と関連付けられた制御情報などの情報を受信し得る。送信機520-a、送信機525-a、または両方は、ダウンリンク送信をUE115-dに送信し得る。基地局105-hは、同じかまたは異なるRFスペクトル帯域上で構成された受信機および送信機も有し得る。基地局105-hは、mmW帯域内で動作するように構成された送信機520-b、サブ6GHz帯域内で動作するように構成された送信機525-b、および同様にサブ6GHz帯域内で動作するように構成された受信機530-bを有し得る。受信機530-bはまた、メッセージ、パケット、または様々な情報チャネル(たとえば、制御チャネル、データチャネル、および事前許可応答メッセージに関連する情報など)と関連付けられた制御情報などの情報を受信し得る。
【０１０４】
追加または代替として、UE115-dは、同じかまたは異なるRFスペクトル帯域上で構成された受信機および送信機を有し得る。UE115-dは、mmW帯域内で動作するように構成された受信機535、サブ6GHz帯域内で動作するように構成された受信機540、およびサブ6GHz帯域内で同様に動作するように構成された送信機545を有し得る。受信機535および受信機540は、メッセージ、パケット、または様々な情報チャネル(たとえば、制御チャネル、データチャネル、および事前許可メッセージに関連する情報など)と関連付けられた制御情報などの情報を受信し得る。加えて、送信機545は、アップリンク送信(たとえば、事前許可応答メッセージ、チャネル予約メッセージ)を基地局105-gもしくは基地局105-hまたは両方に送信し得る。
【０１０５】
プロセスフロー500は、TxOP550(たとえば、TxOP550-aおよび/またはTxOP550-b)を有し得る。場合によっては、基地局105-gは、1つまたは複数のシステムパラメータ(たとえば、システム帯域幅、アップリンク/ダウンリンクスケジュール情報)に基づいてTxOP550(たとえば、TxOP550-aおよび/またはTxOP550-b)を決定し得る。たとえば、基地局105-gは、ネットワーク負荷、レイテンシ公差、トラフィックプロファイル、スケジューリング条件、またはそれらの任意の組合せに基づいてTxOP550(たとえば、TxOP550-aおよび/またはTxOP550-b)を決定し得る。TxOP550(たとえば、TxOP550-aおよび/またはTxOP550-b)は、基地局105-gおよびUE115-dがダウンリンク送信およびアップリンク送信を実行する持続時間であり得る。555において、基地局105-gは、LBT手順を実行し得る。基地局105-gは、LBT手順を送信機525-aを介して無認可スペクトル内の1つまたは複数の共有ダウンリンクチャネル上で実行し得る。場合によっては、LBT手順の結果に基づいて、無認可スペクトル内の共有ダウンリンクチャネルがクリアであると決定した後、基地局105-gは、事前許可メッセージをUE115-dにブロードキャストまたは送信し得る。場合によっては、TxOP550-bは、(たとえば560において)基地局105-gが事前許可メッセージを送信する時点から、(たとえば565-dにおいて)トリガが基地局105-gにおいてUE115-dから受信される時点までに及んでもよい。場合によっては、TxOP550-aは、基地局105-gが事前許可メッセージを送信する(560におけるトリガなど)時点から基地局105-gによって送られたデータに対応するACKの一部または全部を基地局105-gが受信する(595において送信されたACKなど)時点までに及んでもよい。
【０１０６】
560において、基地局105-gは、事前許可メッセージを送信機525-aを使用して1つまたは複数のサブ6GHz帯域アップリンクチャネル上でUE115-dに送信し得る。事前許可メッセージは、TxOP550(たとえば、TxOP550-aおよび/またはTxOP550-b)の持続時間を示し得る。場合によっては、基地局105-gは、事前許可メッセージを1つまたは複数のダウンリンクキャリアを使用してUE115-dに送信し得る。1つまたは複数のダウンリンクキャリアは、物理レイヤチャネル(たとえば、PDCCH)に従って動作されるRFスペクトル帯域(たとえば、サブ6GHz帯域)の一部を含み得る。
【０１０７】
UE115-dは、事前許可メッセージを受信機540を使用して1つまたは複数のサブ6GHz帯域ダウンリンクチャネル上で基地局105-gから受信し得る。基地局105-gがUE115-dへのダウンリンク送信のために利用可能なデータを有し得ることを、UE115-dは識別し得る。565-aにおいて、受信機540は、LBT手順をUE115-dの受信機535が実行するようにトリガし得る。570-aにおいて、UE115-dは、LBT手順を、たとえば受信機535を使用して1つまたは複数のmmW帯域ダウンリンクチャネル上で実行し得る。UE115-dは、LBT手順に基づいて近隣基地局105および/またはUE115の存在を識別し得る。UE115-dは、LBT手順に基づいて干渉を検出し、検出された干渉がしきい値(たとえば、SINR値)を満足するかどうかを決定し得る。UE115-dは、基地局105-hからの干渉を検出し得る。干渉がしきい値を満足するとUE115-dが決定する場合、UE115-dは、基地局105-gから受信された事前許可メッセージを無視してもよい。代替的に、干渉がしきい値より低いとUE115-dが決定する場合、UE115-dは、1つまたは複数の追加の動作(たとえば、チャネル予約シグナリング、または1つまたは複数の追加の送信機および/または受信機上の追加のLBT手順)を実行し得る。
【０１０８】
565-bにおいて、UE115-dの受信機535は、LBT手順をUE115-dの送信機545が実行するようにトリガし得る。そのため、570-bにおいて、UE115-dは、送信機545を使用して1つまたは複数のサブ6GHz帯域アップリンクチャネル上でLBT手順を実行し得る。たとえば、UE115-dは、情報(たとえば、チャネル予約シグナリング、事前許可応答メッセージ)を送信または受信する前に、アップリンクチャネルの1つまたは複数のRFスペクトル帯域を感知し得る。
【０１０９】
575において、UE115-dは、チャネル予約信号を送信機545を使用して1つまたは複数のサブ6GHz帯域アップリンクチャネル上で基地局105-hに送信し得る。場合によっては、UE115-dは、受信機535もしくは送信機545または両方の上で実行されたLBT手順の成功した結果に基づいてチャネル予約信号を送信し得る。チャネル予約信号は、TxOP550(たとえば、TxOP550-aおよび/またはTxOP550-b)の持続時間を示し得る。たとえば、チャネル予約信号はパケットであってもよく、TxOP550(たとえば、TxOP550-aおよび/またはTxOP550-b)の持続時間を含む表示(たとえば、1ビットまたは複数ビット)は、パケットのプリアンブルのフィールド内に挿入されてもよい。
【０１１０】
565-cにおいて、基地局105-hの受信機530-bはチャネル予約メッセージを受信し、TxOP550(たとえば、TxOP550-aおよび/またはTxOP550-b)の持続時間の間、送信機520-bがバックオフするようにトリガし得る。580において、基地局105-hは、mmW帯域もしくはサブ6GHz帯域または両方のダウンリンク送信を送信機520-bを介して実行することを控えてもよい。場合によっては、基地局105-hは、干渉がしきい値より低くなるように、送信機520-b上のその送信電力を低減してもよい。このようにして、基地局105-hは、バックオフして、mmW帯域送信ビームを基地局105-gからUE115-dにおいて受信することを保護し得る。バックオフは、バックオフ持続時間582と関連付けられ得る。いくつかの例では、バックオフ持続時間582は、TxOP550(たとえば、TxOP550-aおよび/またはTxOP550-b)と比較して、長さが同じであっても異なってもよい。たとえば、場合によっては、バックオフ持続時間582は、TxOP550(たとえば、TxOP550-aおよび/またはTxOP550-b)の持続時間の残りに対応する長さを有し得る。
【０１１１】
585において、UE115-dは、事前許可応答メッセージを送信機545を介して基地局105-gに送信し得る。基地局105-gは、事前許可メッセージを受信機530-aを介して受信し得る。565-dにおいて、受信機530-aは、ダウンリンク送信を送信機520-aが実行するようにトリガし得る。590において、基地局105-gは、データを送信機520-aを使用して1つまたは複数のダウンリンク送信上でUE115-dに送信し得る。データは、1つまたは複数のmmW帯域ダウンリンク送信ビーム上で送信され得る。1つまたは複数のmmW帯域ダウンリンク送信ビームは、ビームフォーミング方式で基地局105-gによって送信され得る。UE115-dは、データを受信機535を介して1つまたは複数のmmW帯域ダウンリンク受信ビーム上で受信し得る。595において、UE115-dは、ダウンリンク送信を受信することに応答して、1つまたは複数のACKまたはNACKメッセージを送信機545を介して送信し得る。したがって、プロセスフロー500は、UE115-dが、データを第1のRFスペクトル帯域(たとえば、mmW帯域ダウンリンクチャネル)上で基地局105-gから受信し、かつメッセージ(たとえば、ACK、NACK、事前許可応答、チャネル予約信号など)を第2のRFスペクトル帯域(たとえば、サブ6GHz帯域アップリンクチャネル)上で送信するための技法を提供する。加えて、プロセスフロー500は、より高いデータレートを提供し、送信容量、スペクトル効率を改善し、共存を強化しながら、デバイス内の干渉を低減するための技法を提供し得る。
【０１１２】
図6は、本開示の態様による、ミリメートル波システムのためのリッスンビフォアトークおよびチャネル予約をサポートするワイヤレスデバイス605のブロック図600を示す。ワイヤレスデバイス605は、本明細書で説明するUE115の態様の一例であり得る。ワイヤレスデバイス605は、受信機610、UE通信マネージャ615、および送信機620を含んでよい。ワイヤレスデバイス605はプロセッサを含んでもよい。これらの構成要素の各々は、(たとえば、1つまたは複数のバスを介して)互いと通信していることがある。
【０１１３】
受信機610は、パケット、ユーザデータ、または様々な情報チャネル(たとえば、制御チャネル、データチャネル、およびミリメートル波システムのためのリッスンビフォアトークおよびチャネル予約に関連する情報など)と関連付けられた制御情報などの情報を受信し得る。情報はデバイスの他の構成要素に受け渡されてよい。受信機610は、図9を参照しながら説明するトランシーバ935の態様の例であってもよい。受信機610は、単一のアンテナまたは一組のアンテナを利用することができる。
【０１１４】
UE通信マネージャ615は、図9を参照しながら説明するUE通信マネージャ915の態様の一例であってよい。UE通信マネージャ615および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ615、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１１５】
UE通信マネージャ615、および/またはその様々な副構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、UE通信マネージャ615、および/またはその様々な副構成要素のうちの少なくともいくつかは、本開示の様々な態様による別個のまたは異なる構成要素であってよい。他の例では、UE通信マネージャ615および/またはその様々な副構成要素のうちの少なくともいくつかは、限定はしないが、I/O構成要素、トランシーバ、ネットワークサーバ、別のコンピューティングデバイス、本開示で説明した1つまたは複数の他の構成要素、または本開示の様々な態様によるそれらの組合せを含む、1つまたは複数の他のハードウェア構成要素と組み合わされ得る。
【０１１６】
UE通信マネージャ615は、ダウンリンク送信がUEに送信するために利用可能であることを示す事前許可メッセージを基地局から受信することであって、ダウンリンク送信は第1のRFスペクトル帯域上で送信するために利用可能である、受信することと、事前許可メッセージを受信することに基づいてLBT手順を実行することと、クリアチャネルを示すLBT手順に基づいてチャネル予約信号を第2のRFスペクトル帯域上で送信することと、事前許可メッセージに対する応答を第2のRFスペクトル帯域上で基地局に送信することとを行い得る。場合によっては、UE通信マネージャ615からの送信は、第1のスペクトル帯域内でアップリンク送信能力を欠くことに少なくとも部分的に基づいて、第1のスペクトル帯域以外のスペクトル帯域内で送信される。
【０１１７】
送信機620は、デバイスの他の構成要素によって生成された信号を送信することができる。いくつかの例では、送信機620は、トランシーバモジュールにおいて受信機610と一緒に置かれてもよい。たとえば、送信機620は、図9を参照しながら説明するトランシーバ935の態様の例であってもよい。送信機620は、単一のアンテナまたは一組のアンテナを利用することができる。
【０１１８】
図7は、本開示の態様による、ミリメートル波システムのためのリッスンビフォアトークおよびチャネル予約をサポートするワイヤレスデバイス705のブロック図700を示す。ワイヤレスデバイス705は、図6を参照しながら説明したようなワイヤレスデバイス605またはUE115の態様の一例であってよい。ワイヤレスデバイス705は、受信機710と、UE通信マネージャ715と、送信機720とを含み得る。ワイヤレスデバイス705は、プロセッサも含んでよい。これらの構成要素の各々は、(たとえば、1つまたは複数のバスを介して)互いと通信していることがある。
【０１１９】
受信機710は、パケット、ユーザデータ、または様々な情報チャネル(たとえば、制御チャネル、データチャネル、およびミリメートル波システムのためのリッスンビフォアトークおよびチャネル予約に関連する情報など)と関連付けられた制御情報などの情報を受信し得る。情報はデバイスの他の構成要素に受け渡されてよい。受信機710は、図9を参照しながら説明するトランシーバ935の態様の例であってもよい。受信機710は、単一のアンテナまたは一組のアンテナを利用することができる。
【０１２０】
UE通信マネージャ715は、図9を参照しながら説明するUE通信マネージャ915の態様の一例であってよい。UE通信マネージャ715はまた、事前許可構成要素725、リッスンビフォアトーク構成要素730、およびチャネル予約信号構成要素735を含み得る。
【０１２１】
事前許可構成要素725は、ダウンリンク送信がUE115に送信するために利用可能であることを示す事前許可メッセージを基地局から受信し得、ダウンリンク送信は、第1のRFスペクトル帯域上で送信するために利用可能である。事前許可構成要素725は、事前許可メッセージに対する応答を第2のRFスペクトル帯域上で基地局に送信し得る。事前許可構成要素725は、ダウンリンク送信を第1のRFスペクトル帯域上で基地局から受信し得る。ダウンリンク送信は、第1のRFスペクトル帯域上で送信ビームのセットのうちの1つまたは複数の送信ビームを使用して基地局によって送信され得る。事前許可構成要素725は、ダウンリンク送信をUE115において受信することに応答して、1つまたは複数のACKまたはNACKメッセージを第2のRFスペクトル帯域上で基地局に送信し得る。場合によっては、事前許可メッセージは、第1のRFスペクトルまたは第2のRFスペクトルの中で受信される。場合によっては、事前許可メッセージは、TxOPの持続時間を示す。場合によっては、チャネル予約信号は、持続時間を示すプリアンブルを含む。場合によっては、第1のRFスペクトル帯域は6GHzより上のRFスペクトル帯域を含み、第2のRFスペクトル帯域は6GHzより下のRFスペクトル帯域を含む。場合によっては、第1のRFスペクトル帯域は無認可または共有アクセスRFスペクトル帯域を含み、第2のRFスペクトル帯域は無認可もしくは共有アクセスRFスペクトル帯域または認可RFスペクトル帯域を含む。場合によっては、第2のRFスペクトル帯域は認可RFスペクトル帯域を含み、認可RFスペクトル帯域は、FDD認可スペクトル帯域またはTDD認可スペクトル帯域を含む。場合によっては、事前許可構成要素725からの送信は、第1のスペクトル帯域内でアップリンク送信能力を欠くことに少なくとも部分的に基づいて、第1のスペクトル帯域以外のスペクトル帯域内で送信される。
【０１２２】
リッスンビフォアトーク構成要素730は、事前許可メッセージを受信することに基づいてLBT手順を実行し得る。リッスンビフォアトーク構成要素730は、事前許可メッセージを受信することに基づいてLBT手順を第1のRFスペクトル帯域内で実行し得る。リッスンビフォアトーク構成要素730は、事前許可メッセージを受信することに基づいてLBT手順を第2のRFスペクトル帯域内で実行し得る。リッスンビフォアトーク構成要素730は、第2のLBT手順を第2のRFスペクトル帯域内で実行し得る。場合によっては、チャネル予約信号を送信することは、クリアチャネルを示すLBT手順および第2のクリアチャネルを示す第2のLBT手順に基づく。場合によっては、LBT手順は、カテゴリー4 LBTもしくはワンショットLBTまたはそれらの組合せを含む。
【０１２３】
チャネル予約信号構成要素735は、クリアチャネルを示すLBT手順に基づいて、チャネル予約信号を第2のRFスペクトル帯域上で送信し得る。場合によっては、チャネル予約送信は、PUCCH波形である。場合によっては、チャネル予約信号構成要素735からの送信は、第1のスペクトル帯域内でアップリンク送信能力を欠くことに少なくとも部分的に基づいて、第1のスペクトル帯域以外のスペクトル帯域内で送信される。
【０１２４】
送信機720は、デバイスの他の構成要素によって生成された信号を送信することができる。いくつかの例では、送信機720は、トランシーバモジュールにおいて受信機710と一緒に置かれてもよい。たとえば、送信機720は、図9を参照しながら説明するトランシーバ935の態様の例であってもよい。送信機720は、単一のアンテナまたは一組のアンテナを利用することができる。
【０１２５】
図8は、本開示の態様による、ミリメートル波システムのためのリッスンビフォアトークおよびチャネル予約をサポートするUE通信マネージャ815のブロック図800を示す。UE通信マネージャ815は、図6、図7、および図9を参照しながら説明する、UE通信マネージャ615、UE通信マネージャ715、またはUE通信マネージャ915の態様の一例であってよい。UE通信マネージャ815は、事前許可構成要素820、リッスンビフォアトーク構成要素825、チャネル予約信号構成要素830、および複信構成要素835を含み得る。これらのモジュールの各々は、(たとえば、1つまたは複数のバスを介して)互いと直接的または間接的に通信し得る。
【０１２６】
事前許可構成要素820は、ダウンリンク送信がUE115に送信するために利用可能であることを示す事前許可メッセージを基地局から受信し得、ダウンリンク送信は、第1のRFスペクトル帯域上で送信するために利用可能である。事前許可構成要素820は、事前許可メッセージに対する応答を第2のRFスペクトル帯域上で基地局に送信し得る。事前許可構成要素820は、ダウンリンク送信を第1のRFスペクトル帯域上で基地局から受信し得、ダウンリンク送信は、第1のRFスペクトル帯域上で送信ビームのセットのうちの1つまたは複数の送信ビームを使用して基地局によって送信される。事前許可構成要素820は、ダウンリンク送信をUE115において受信することに応答して、1つまたは複数のACKまたはNACKメッセージを第2のRFスペクトル帯域上で基地局に送信し得る。場合によっては、事前許可メッセージは、第1のRFスペクトルまたは第2のRFスペクトルの中で受信される。場合によっては、事前許可メッセージは、TxOPの持続時間を示す。場合によっては、チャネル予約信号は、持続時間を示すプリアンブルを含む。場合によっては、第1のRFスペクトル帯域は6GHzより上のRFスペクトル帯域を含み、第2のRFスペクトル帯域は6GHzより下のRFスペクトル帯域を含む。場合によっては、第1のRFスペクトル帯域は無認可または共有アクセスRFスペクトル帯域を含み、第2のRFスペクトル帯域は無認可もしくは共有アクセスRFスペクトル帯域または認可RFスペクトル帯域を含む。場合によっては、第2のRFスペクトル帯域は認可RFスペクトル帯域を含み、認可RFスペクトル帯域は、FDD認可スペクトル帯域またはTDD認可スペクトル帯域を含む。場合によっては、事前許可構成要素820からの送信は、第1のスペクトル帯域内でアップリンク送信能力を欠くことに少なくとも部分的に基づいて、第1のスペクトル帯域以外のスペクトル帯域内で送信される。
【０１２７】
リッスンビフォアトーク構成要素825は、事前許可メッセージを受信することに基づいてLBT手順を実行し得る。リッスンビフォアトーク構成要素825は、事前許可メッセージを受信することに基づいてLBT手順を第1のRFスペクトル帯域内で実行し得る。リッスンビフォアトーク構成要素825は、事前許可メッセージを受信することに基づいてLBT手順を第2のRFスペクトル帯域内で実行し得る。リッスンビフォアトーク構成要素825は、第2のLBT手順を第2のRFスペクトル帯域内で実行し得る。場合によっては、チャネル予約信号を送信することは、クリアチャネルを示すLBT手順および第2のクリアチャネルを示す第2のLBT手順に基づく。場合によっては、LBT手順は、カテゴリー4 LBTもしくはワンショットLBTまたはそれらの組合せを含む。
【０１２８】
チャネル予約信号構成要素830は、クリアチャネルを示すLBT手順に基づいて、チャネル予約信号を第2のRFスペクトル帯域上で送信し得る。場合によっては、チャネル予約送信は、PUCCH波形である。デュプレクサ構成要素835は、チャネル予約信号を搬送するアップリンクキャリアを周波数分割複信してもよく、および/またはチャネル予約信号を搬送するアップリンクキャリアを時分割複信してもよい。場合によっては、チャネル予約信号構成要素830からの送信は、第1のスペクトル帯域内でアップリンク送信能力を欠くことに少なくとも部分的に基づいて、第1のスペクトル帯域以外のスペクトル帯域内で送信される。
【０１２９】
図9は、本開示の態様による、ミリメートル波システムのためのリッスンビフォアトークおよびチャネル予約をサポートするデバイス905を含むシステム900の図を示す。デバイス905は、たとえば、図6および図7を参照しながら、上記で説明したようなワイヤレスデバイス605、ワイヤレスデバイス705、またはUE115の構成要素の一例であり得るか、またはその構成要素を含み得る。デバイス905は、UE通信マネージャ915と、プロセッサ920と、メモリ925と、ソフトウェア930と、トランシーバ935と、アンテナ940と、I/Oコントローラ945とを含めて、通信を送信および受信するための構成要素を含む、双方向音声およびデータ通信のための構成要素を含み得る。これらの構成要素は、1つまたは複数のバス(たとえば、バス910)を介して電子通信していてもよい。デバイス905は、1つまたは複数の基地局105とワイヤレス通信し得る。
【０１３０】
プロセッサ920は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。場合によっては、プロセッサ920は、メモリコントローラを使用して、メモリアレイを動作させるように構成され得る。他の場合、メモリコントローラは、プロセッサ920の中に統合され得る。プロセッサ920は、様々な機能(たとえば、ミリメートル波システムのためのリッスンビフォアトークおよびチャネル予約をサポートする機能またはタスク)を実行するために、メモリに記憶されたコンピュータ可読命令を実行するように構成され得る。
【０１３１】
メモリ925は、ランダムアクセスメモリ(RAM)と読取り専用メモリ(ROM)とを含み得る。メモリ925は、実行されると、プロセッサに、本明細書で説明する様々な機能を実行させる命令を含む、コンピュータ可読、コンピュータ実行可能ソフトウェア930を記憶し得る。場合によっては、メモリ925は、特に、周辺構成要素または周辺デバイスとの相互作用などの、基本的なハードウェア動作またはソフトウェア動作を制御し得る基本入出力システム(BIOS)を含んでよい。
【０１３２】
ソフトウェア930は、ミリメートル波システムのためのリッスンビフォアトークおよびチャネル予約をサポートするためのコードを含む、本開示の態様を実装するためのコードを含み得る。ソフトウェア930は、システムメモリまたは他のメモリなど、非一時的コンピュータ可読媒体内に記憶され得る。場合によっては、ソフトウェア930は、プロセッサによって直接実行可能ではないことがあるが、(たとえば、コンパイルされ、実行されると)本明細書で説明する機能をコンピュータに実行させることができる。
【０１３３】
トランシーバ935は、上記で説明したような1つまたは複数のアンテナ、有線リンク、またはワイヤレスリンクを介して双方向に通信し得る。たとえば、トランシーバ935は、ワイヤレストランシーバを表すことがあり、別のワイヤレストランシーバと双方向に通信し得る。トランシーバ935はまた、送信のためにパケットを変調するとともに被変調パケットをアンテナに提供し、かつアンテナから受信されたパケットを復調するためのモデムを含んでよい。場合によっては、ワイヤレスデバイスは、単一のアンテナ940を含んでもよい。しかしながら、場合によっては、デバイスは、複数のワイヤレス送信を同時に送信または受信することが可能であり得る複数のアンテナ940を有し得る。
【０１３４】
I/Oコントローラ945は、デバイス905のための入力信号および出力信号を管理し得る。I/Oコントローラ945はまた、デバイス905に統合されていない周辺装置を管理し得る。場合によっては、I/Oコントローラ945は、外部周辺装置への物理接続またはポートを表すことがある。場合によっては、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ945は、モデム、キーボード、マウス、タッチスクリーン、もしくは類似のデバイスを表してよく、またはそれらと相互作用してよい。場合によっては、I/Oコントローラ945は、プロセッサの一部として実装されてもよい。いくつかの場合、ユーザは、I/Oコントローラ945を介して、またはI/Oコントローラ945によって制御されたハードウェア構成要素を介して、デバイス905と対話することがある。
【０１３５】
図10は、本開示の態様による、ミリメートル波システムのためのリッスンビフォアトークおよびチャネル予約をサポートするワイヤレスデバイス1005のブロック図1000を示す。ワイヤレスデバイス1005は、本明細書で説明するような基地局105の態様の一例であってよい。ワイヤレスデバイス1005は、受信機1010、基地局通信マネージャ1015、および送信機1020を含んでよい。ワイヤレスデバイス1005はプロセッサをも含み得る。これらの構成要素の各々は、(たとえば、1つまたは複数のバスを介して)互いと通信していることがある。
【０１３６】
受信機1010は、パケット、ユーザデータ、または様々な情報チャネル(たとえば、制御チャネル、データチャネル、ならびにミリメートル波システムのためのリッスンビフォアトークおよびチャネル予約に関連する情報など)と関連付けられた制御情報などの情報を受信し得る。情報はデバイスの他の構成要素に受け渡されてよい。受信機1010は、図13を参照しながら説明するトランシーバ1335の態様の例であってもよい。受信機1010は、単一のアンテナまたはアンテナのセットを使用し得る。
【０１３７】
基地局通信マネージャ1015は、図13を参照しながら説明する基地局通信マネージャ1315の態様の一例であり得る。基地局通信マネージャ1015および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1015および/またはそれの様々な副構成要素のうちの少なくともいくつかの機能は、汎用プロセッサ、DSP、ASIC、FPGAまたは他のプログラマブル論理デバイス、個別ゲートまたはトランジスタ論理、個別ハードウェア構成要素、あるいは本開示で説明される機能を実行するように設計されたそれらの任意の組合せによって実行され得る。場合によっては、基地局通信マネージャ1015によって受信された送信は、第1のスペクトル帯域内でアップリンク受信能力を欠くことに少なくとも部分的に基づいて、第1のスペクトル帯域以外のスペクトル帯域内で受信される。
【０１３８】
基地局通信マネージャ1015および/またはその様々な副構成要素のうちの少なくともいくつかは、機能の一部が1つまたは複数の物理デバイスによって異なる物理的ロケーションにおいて実装されるように分散されることを含めて、様々な位置に物理的に配置されてもよい。いくつかの例では、基地局通信マネージャ1015および/またはその様々な副構成要素のうちの少なくともいくつかは、本開示の様々な態様による別個でかつ異なる構成要素であってもよい。他の例では、基地局通信マネージャ1015および/またはその様々な副構成要素の少なくともいくつかは、限定はしないが、I/O構成要素、トランシーバ、ネットワークサーバ、別のコンピューティングデバイス、本開示で説明した、1つまたは複数の他の構成要素、あるいは本開示の様々な態様によるそれらの組合せを含む、1つまたは複数の他のハードウェア構成要素と組み合わされ得る。
【０１３９】
基地局通信マネージャ1015は、ダウンリンク送信が第1のRFスペクトル帯域上でUE115に送信するために利用可能であることを示す事前許可メッセージをUE115に送信することと、事前許可メッセージに対する応答を第2のRFスペクトル帯域上でUE115から受信することと、事前許可メッセージに対する応答を受信することに基づいて、第1のRFスペクトル帯域上で送信ビームのセットのうちの1つまたは複数の送信ビームを使用してダウンリンク送信をUE115に送信することとを行い得る。
【０１４０】
送信機1020は、デバイスの他の構成要素によって生成された信号を送信することができる。いくつかの例では、送信機1020は、トランシーバモジュールにおいて受信機1010と一緒に置かれてもよい。たとえば、送信機1020は、図13を参照しながら説明するトランシーバ1335の態様の一例であってよい。送信機1020は、単一のアンテナまたは一組のアンテナを利用することができる。
【０１４１】
図11は、本開示の態様による、ミリメートル波システムのためのリッスンビフォアトークおよびチャネル予約をサポートするワイヤレスデバイス1105のブロック図1100を示す。ワイヤレスデバイス1105は、図10を参照しながら説明したようなワイヤレスデバイス1005または基地局105の態様の一例であってよい。ワイヤレスデバイス1105は、受信機1110、基地局通信マネージャ1115、および送信機1120を含んでよい。ワイヤレスデバイス1105はまた、プロセッサを含んでよい。これらの構成要素の各々は、(たとえば、1つまたは複数のバスを介して)互いと通信していることがある。
【０１４２】
受信機1110は、パケット、ユーザデータ、または様々な情報チャネル(たとえば、制御チャネル、データチャネル、ならびにミリメートル波システムのためのリッスンビフォアトークおよびチャネル予約に関連する情報など)と関連付けられた制御情報などの情報を受信し得る。情報はデバイスの他の構成要素に受け渡されてよい。受信機1110は、図13を参照しながら説明するトランシーバ1335の態様の一例であってよい。受信機1110は、単一のアンテナまたは一組のアンテナを利用することができる。
【０１４３】
基地局通信マネージャ1115は、図13を参照しながら説明する基地局通信マネージャ1315の態様の一例であり得る。基地局通信マネージャ1115はまた、事前許可構成要素1125およびダウンリンク送信構成要素1130を含み得る。
【０１４４】
事前許可構成要素1125は、ダウンリンク送信がUE115に送信するために利用可能であることを示す事前許可メッセージをUE115に送信し得、ダウンリンク送信は、第1のRFスペクトル帯域上で送信するために利用可能である。事前許可構成要素1125は、事前許可メッセージに対する応答を第2のRFスペクトル帯域上でUE115から受信し得、事前許可メッセージを第2のRFスペクトル帯域内でUE115に送信し得る。事前許可構成要素1125は、事前許可メッセージを第1のRFスペクトル帯域または第2のRFスペクトル帯域内でUE115に送信し得る。場合によっては、事前許可メッセージは、TxOPの持続時間を示す。場合によっては、第1のRFスペクトル帯域は6GHzより上のRFスペクトル帯域を含み、第2のRFスペクトル帯域は6GHzより下のRFスペクトル帯域を含む。場合によっては、第1のRFスペクトル帯域は無認可または共有アクセスRFスペクトル帯域を含み、第2のRFスペクトル帯域は無認可もしくは共有アクセスRFスペクトル帯域または認可RFスペクトル帯域を含む。場合によっては、第2のRFスペクトル帯域は認可RFスペクトル帯域を含み、認可RFスペクトル帯域は、FDD認可スペクトル帯域またはTDD認可スペクトル帯域を含む。場合によっては、事前許可メッセージは、事前許可メッセージ送信に対するクリアチャネルを示すためにLBT手順を実行することなく送信される。場合によっては、事前許可構成要素1125によって受信された送信は、第1のスペクトル帯域内でアップリンク受信能力を欠くことに少なくとも部分的に基づいて、第1のスペクトル帯域以外のスペクトル帯域内で受信される。
【０１４５】
ダウンリンク送信構成要素1130は、事前許可メッセージに対する応答を受信することに基づいて、ダウンリンク送信を第1のRFスペクトル帯域上で送信ビームのセットのうちの1つまたは複数の送信ビームを使用してUE115に送信し、ダウンリンク送信をUE115に送信することに応答して、1つまたは複数のACKまたはNACKメッセージを第2のRFスペクトル帯域上でUE115から受信し得る。場合によっては、ダウンリンク送信構成要素1130によって受信された送信は、第1のスペクトル帯域内でアップリンク受信能力を欠くことに少なくとも部分的に基づいて、第1のスペクトル帯域以外のスペクトル帯域内で受信される。
【０１４６】
送信機1120は、デバイスの他の構成要素によって生成された信号を送信することができる。いくつかの例では、送信機1120は、トランシーバモジュールにおいて受信機1110と一緒に置かれてもよい。たとえば、送信機1120は、図13を参照しながら説明するトランシーバ1335の態様の一例であってよい。送信機1120は、単一のアンテナまたは一組のアンテナを利用することができる。
【０１４７】
図12は、本開示の態様による、ミリメートル波システムのためのリッスンビフォアトークおよびチャネル予約をサポートする基地局通信マネージャ1215のブロック図1200を示す。基地局通信マネージャ1215は、図10、図11、および図13を参照しながら説明する基地局通信マネージャ1315の態様の一例であり得る。基地局通信マネージャ1215は、事前許可構成要素1220、ダウンリンク送信構成要素1225、リッスンビフォアトーク構成要素1230、およびチャネル予約信号構成要素1235を含み得る。これらのモジュールの各々は、(たとえば、1つまたは複数のバスを介して)互いと直接的または間接的に通信し得る。
【０１４８】
事前許可構成要素1220は、ダウンリンク送信がUE115に送信するために利用可能であることを示す事前許可メッセージをUE115に送信し得、ダウンリンク送信は、第1のRFスペクトル帯域上で送信するために利用可能である。事前許可構成要素1220は、事前許可メッセージに対する応答を第2のRFスペクトル帯域上でUE115から受信し得、事前許可メッセージを第2のRFスペクトル帯域内でUE115に送信し得る。事前許可構成要素1220は、事前許可メッセージを、第1のRFスペクトル帯域または第2のRFスペクトル帯域内でUE115に送信し得る。場合によっては、事前許可メッセージは、TxOPの持続時間を示す。場合によっては、第1のRFスペクトル帯域は6GHzより上のRFスペクトル帯域を含み、第2のRFスペクトル帯域は6GHzより下のRFスペクトル帯域を含む。場合によっては、第1のRFスペクトル帯域は無認可または共有アクセスRFスペクトル帯域を含み、第2のRFスペクトル帯域は無認可もしくは共有アクセスRFスペクトル帯域または認可RFスペクトル帯域を含む。場合によっては、第2のRFスペクトル帯域は認可RFスペクトル帯域を含み、認可RFスペクトル帯域は、FDD認可スペクトル帯域またはTDD認可スペクトル帯域を含む。場合によっては、事前許可メッセージは、事前許可メッセージ送信に対するクリアチャネルを示すためにLBT手順を実行することなく送信される。場合によっては、事前許可構成要素1220によって受信された送信は、第1のスペクトル帯域内でアップリンク受信能力を欠くことに少なくとも部分的に基づいて、第1のスペクトル帯域以外のスペクトル帯域内で受信される。
【０１４９】
ダウンリンク送信構成要素1225は、事前許可メッセージに対する応答を受信することに基づいて、ダウンリンク送信を第1のRFスペクトル帯域上で送信ビームのセットのうちの1つまたは複数の送信ビームを使用してUE115に送信し、ダウンリンク送信をUE115に送信することに応答して、1つまたは複数のACKまたはNACKメッセージを第2のRFスペクトル帯域上でUE115から受信し得る。場合によっては、ダウンリンク送信構成要素1225によって受信された送信は、第1のスペクトル帯域内でアップリンク受信能力を欠くことに少なくとも部分的に基づいて、第1のスペクトル帯域以外のスペクトル帯域内で受信される。
【０１５０】
リッスンビフォアトーク構成要素1230は、LBT手順を第2のRFスペクトル帯域内で実行し得、事前許可メッセージは、クリアチャネルを示すLBT手順に基づいて送信される。
【０１５１】
チャネル予約信号構成要素1235は、チャネル予約信号を第2のRFスペクトル帯域上で第2のUE115から受信し、チャネル予約信号を受信することに基づいて第1のRFスペクトル帯域上で送信することを控えてもよい。場合によっては、チャネル予約信号は持続時間を示すプリアンブルを含み、基地局は示された持続時間の間、送信することを控える。場合によっては、チャネル予約送信は、PUCCH波形である。場合によっては、チャネル予約構成要素1235によって受信された送信は、第1のスペクトル帯域内でアップリンク受信能力を欠くことに少なくとも部分的に基づいて、第1のスペクトル帯域以外のスペクトル帯域内で受信される。
【０１５２】
図13は、本開示の態様による、ミリメートル波システムのためのリッスンビフォアトークおよびチャネル予約をサポートするデバイス1305を含むシステム1300の図を示す。デバイス1305は、たとえば、図1を参照しながら上記で説明したような基地局105の構成要素の一例であってよく、またはそれを含んでもよい。デバイス1305は、基地局通信マネージャ1315、プロセッサ1320、メモリ1325、ソフトウェア1330、トランシーバ1335、アンテナ1340、ネットワーク通信マネージャ1345、および局間通信マネージャ1350を含む、通信を送信および受信するための構成要素を含む双方向音声およびデータ通信のための構成要素を含み得る。これらの構成要素は、1つまたは複数のバス(たとえば、バス1310)を介して電子通信し得る。デバイス1305は、1つまたは複数のUE115とワイヤレス通信し得る。
【０１５３】
プロセッサ1320は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。場合によっては、プロセッサ1320は、メモリコントローラを使ってメモリアレイを操作するように構成され得る。他の場合、メモリコントローラは、プロセッサ1320の中に統合され得る。プロセッサ1320は、様々な機能(たとえば、ミリメートル波システムのためのリッスンビフォアトークおよびチャネル予約をサポートする機能またはタスク)を実行するために、メモリに記憶されたコンピュータ可読命令を実行するように構成され得る。
【０１５４】
メモリ1325は、RAMとROMとを含むことがある。メモリ1325は、実行されると、プロセッサに、本明細書で説明する様々な機能を実行させる命令を含む、コンピュータ可読、コンピュータ実行可能ソフトウェア1330を記憶し得る。場合によっては、メモリ1325は、特に、周辺構成要素または周辺デバイスとの相互作用などの基本的なハードウェア動作またはソフトウェア動作を制御し得るBIOSを含んでよい。
【０１５５】
ソフトウェア1330は、ミリメートル波システムのためのリッスンビフォアトークおよびチャネル予約をサポートするためのコードを含む、本開示の態様を実装するためのコードを含み得る。ソフトウェア1330は、システムメモリまたは他のメモリなど、非一時的コンピュータ可読媒体内に記憶され得る。場合によっては、ソフトウェア1330は、プロセッサによって直接実行可能でないことがあるが、(たとえば、コンパイルされ、実行されたときに)本明細書で説明する機能をコンピュータに実行させる場合がある。
【０１５６】
トランシーバ1335は、上記で説明したような1つまたは複数のアンテナ、有線リンク、またはワイヤレスリンクを介して双方向に通信し得る。たとえば、トランシーバ1335は、ワイヤレストランシーバを表してよく、別のワイヤレストランシーバと双方向に通信することができる。トランシーバ1335はまた、パケットを変調し、変調されたパケットを送信するためにアンテナに供給し、かつアンテナから受信されたパケットを復調するためのモデムを含んでもよい。場合によっては、ワイヤレスデバイスは、単一のアンテナ1340を含んでもよい。しかしながら、場合によっては、デバイスは、複数のワイヤレス送信を同時に送信または受信することが可能であり得る複数のアンテナ1340を有し得る。ネットワーク通信マネージャ1345は、(たとえば、1つまたは複数の有線バックホールリンクを介して)コアネットワークとの通信を管理してもよい。たとえば、ネットワーク通信マネージャ1345は、1つまたは複数のUE115など、クライアントデバイスのためのデータ通信の転送を管理し得る。
【０１５７】
局間通信マネージャ1350は、他の基地局105との通信を管理し得、他の基地局105と協働してUE115との通信を制御するためのコントローラまたはスケジューラを含み得る。たとえば、局間通信マネージャ1350は、ビームフォーミングまたはジョイント送信などの様々な干渉緩和技法のためのUE115への送信のためのスケジューリングを協調させ得る。いくつかの例では、局間通信マネージャ1350は、基地局105間の通信を行うために、ロングタームエボリューション(LTE)/LTE-Aワイヤレス通信ネットワーク技術内のX2インターフェースを提供し得る。
【０１５８】
図14は、本開示の態様による、ミリメートル波システムのためのリッスンビフォアトークおよびチャネル予約のための方法1400を示すフローチャートを示す。方法1400の動作は、本明細書で説明されたように、UE115またはそれの構成要素によって実装され得る。たとえば、方法1400の動作は、図6〜図9を参照しながら説明したようなUE通信マネージャによって実行され得る。いくつかの例では、UE115は、以下で説明される機能を実行するようにデバイスの機能要素を制御するためのコードのセットを実行し得る。追加または代替として、UE115は、専用ハードウェアを使用して、以下で説明される機能の態様を実行し得る。
【０１５９】
1405において、UE115は、ダウンリンク送信がUE115に送信するために利用可能であることを示す事前許可メッセージを基地局から受信し得、ダウンリンク送信は、第1のRFスペクトル帯域上で送信するために利用可能である。1405の動作は、本明細書で説明する方法に従って実行され得る。いくつかの例では、1405の動作の態様は、図6〜図9を参照しながら説明した事前許可構成要素によって実行されてもよい。
【０１６０】
1410において、UE115は、事前許可メッセージを受信することに基づいてLBT手順を実行し得る。1410の動作は、本明細書で説明する方法に従って実行され得る。いくつかの例では、1410の動作の態様は、図6〜図9を参照しながら説明したリッスンビフォアトーク構成要素によって実行されてもよい。
【０１６１】
1415において、UE115は、クリアチャネルを示すLBT手順に基づいて、チャネル予約信号を第2のRFスペクトル帯域上で送信し得る。1415の動作は、本明細書で説明する方法に従って実行され得る。いくつかの例では、1415の動作の態様は、図6〜図9を参照しながら説明したチャネル予約信号構成要素によって実行されてもよい。
【０１６２】
1420において、UE115は、事前許可メッセージに対する応答を第2のRFスペクトル帯域上で基地局に送信し得る。1420の動作は、本明細書で説明する方法に従って実行され得る。いくつかの例では、1420の動作の態様は、図6〜図9を参照しながら説明した事前許可構成要素によって実行されてもよい。
【０１６３】
図15は、本開示の態様による、ミリメートル波システムのためのリッスンビフォアトークおよびチャネル予約のための方法1500を示すフローチャートを示す。方法1500の動作は、本明細書で説明されたように、UE115またはそれの構成要素によって実装され得る。たとえば、方法1500の動作は、図6〜図9を参照しながら説明したようなUE通信マネージャによって実行され得る。いくつかの例では、UE115は、以下で説明される機能を実行するようにデバイスの機能要素を制御するためのコードのセットを実行し得る。追加または代替として、UE115は、専用ハードウェアを使用して、以下で説明される機能の態様を実行し得る。
【０１６４】
1505において、UE115は、ダウンリンク送信がUE115に送信するために利用可能であることを示す事前許可メッセージを基地局から受信し得、ダウンリンク送信は、第1のRFスペクトル帯域上で送信するために利用可能である。1505の動作は、本明細書で説明する方法に従って実行され得る。いくつかの例では、1505の動作の態様は、図6〜図9を参照しながら説明した事前許可構成要素によって実行されてもよい。
【０１６５】
1510において、UE115は、事前許可メッセージを受信することに基づいてLBT手順を実行し得る。1510の動作は、本明細書で説明する方法に従って実行され得る。いくつかの例では、1510の動作の態様は、図6〜図9を参照しながら説明したリッスンビフォアトーク構成要素によって実行されてもよい。
【０１６６】
1515において、UE115は、クリアチャネルを示すLBT手順に基づいて、チャネル予約信号を第2のRFスペクトル帯域上で送信し得る。1515の動作は、本明細書で説明する方法に従って実行され得る。いくつかの例では、1515の動作の態様は、図6〜図9を参照しながら説明したチャネル予約信号構成要素によって実行されてもよい。
【０１６７】
1520において、UE115は、事前許可メッセージに対する応答を第2のRFスペクトル帯域上で基地局に送信し得る。1520の動作は、本明細書で説明する方法に従って実行され得る。いくつかの例では、1520の動作の態様は、図6〜図9を参照しながら説明した事前許可構成要素によって実行されてもよい。
【０１６８】
1525において、UE115は、事前許可メッセージを受信することに基づいてLBT手順を第2のRFスペクトル帯域内で実行し得る。1525の動作は、本明細書で説明する方法に従って実行され得る。いくつかの例では、1525の動作の態様は、図6〜図9を参照しながら説明したリッスンビフォアトーク構成要素によって実行されてもよい。
【０１６９】
1530において、UE115は、第2のLBT手順を第2のRFスペクトル帯域内で実行し得、チャネル予約信号を送信することは、クリアチャネルを示すLBT手順および第2のクリアチャネルを示す第2のLBT手順に基づく。1530の動作は、本明細書で説明する方法に従って実行され得る。いくつかの例では、1530の動作の態様は、図6〜図9を参照しながら説明したリッスンビフォアトーク構成要素によって実行されてもよい。
【０１７０】
図16は、本開示の態様による、ミリメートル波システムのためのリッスンビフォアトークおよびチャネル予約のための方法1600を示すフローチャートを示す。方法1600の動作は、本明細書で説明するように、基地局105またはその構成要素によって実装され得る。たとえば、方法1600の動作は、図10〜図13を参照しながら説明したような基地局通信マネージャによって実行されてもよい。いくつかの例では、基地局105は、後述の機能を実行するようにデバイスの機能要素を制御するためのコードのセットを実行してもよい。追加または代替として、基地局105は、専用ハードウェアを使用して以下で説明する機能の態様を実行してもよい。
【０１７１】
1605において、基地局105は、ダウンリンク送信がUE115に送信するために利用可能であることを示す事前許可メッセージをUE115に送信し得、ダウンリンク送信は、第1のRFスペクトル帯域上で送信するために利用可能である。1605の動作は、本明細書で説明する方法に従って実行され得る。いくつかの例では、1605の動作の態様は、図10〜図13を参照しながら説明した事前許可構成要素によって実行されてもよい。
【０１７２】
1610において、基地局105は、事前許可メッセージに対する応答を第2のRFスペクトル帯域上でUE115から受信し得る。1610の動作は、本明細書で説明する方法に従って実行され得る。いくつかの例では、1610の動作の態様は、図10〜図13を参照しながら説明した事前許可構成要素によって実行されてもよい。
【０１７３】
1615において、基地局105は、事前許可メッセージに対する応答を受信することに基づいて、ダウンリンク送信を第1のRFスペクトル帯域上で送信ビームのセットのうちの1つまたは複数の送信ビームを使用してUE115に送信し得る。1615の動作は、本明細書で説明する方法に従って実行され得る。いくつかの例では、1615の動作の態様は、図10〜図13を参照しながら説明したダウンリンク送信構成要素によって実行され得る。
【０１７４】
図17は、本開示の態様による、ミリメートル波システムのためのリッスンビフォアトークおよびチャネル予約のための方法1700を示すフローチャートを示す。方法1700の動作は、本明細書で説明するように、基地局105またはその構成要素によって実装され得る。たとえば、方法1700の動作は、図10〜図13を参照しながら説明したような基地局通信マネージャによって実行されてもよい。いくつかの例では、基地局105は、後述の機能を実行するようにデバイスの機能要素を制御するためのコードのセットを実行してもよい。追加または代替として、基地局105は、専用ハードウェアを使用して以下で説明する機能の態様を実行してもよい。
【０１７５】
1705において、基地局105は、ダウンリンク送信がUE115に送信するために利用可能であることを示す事前許可メッセージをUE115に送信し得、ダウンリンク送信は、第1のRFスペクトル帯域上で送信するために利用可能である。1705の動作は、本明細書で説明する方法に従って実行され得る。いくつかの例では、1705の動作の態様は、図10〜図13を参照しながら説明した事前許可構成要素によって実行されてもよい。
【０１７６】
1710において、基地局105は、事前許可メッセージに対する応答を第2のRFスペクトル帯域上でUE115から受信し得る。1710の動作は、本明細書で説明する方法に従って実行され得る。いくつかの例では、1710の動作の態様は、図10〜図13を参照しながら説明した事前許可構成要素によって実行されてもよい。
【０１７７】
1715において、基地局105は、事前許可メッセージに対する応答を受信することに基づいて、ダウンリンク送信を第1のRFスペクトル帯域上で送信ビームのセットのうちの1つまたは複数の送信ビームを使用してUE115に送信し得る。1715の動作は、本明細書で説明する方法に従って実行され得る。いくつかの例では、1715の動作の態様は、図10〜図13を参照しながら説明したダウンリンク送信構成要素によって実行され得る。
【０１７８】
1720において、基地局105は、チャネル予約信号を第2のRFスペクトル帯域上で第2のUE115から受信し得る。1720の動作は、本明細書で説明する方法に従って実行され得る。いくつかの例では、1720の動作の態様は、図10〜図13を参照しながら説明したチャネル予約信号構成要素によって実行されてもよい。
【０１７９】
1725において、基地局105は、チャネル予約信号を受信することに基づいて第1のRFスペクトル帯域上で送信することを控えてもよい。1725の動作は、本明細書で説明する方法に従って実行され得る。いくつかの例では、1725の動作の態様は、図10〜図13を参照しながら説明したチャネル予約信号構成要素によって実行されてもよい。
【０１８０】
上記で説明された方法は可能な実装形態を表すこと、動作およびステップが再構成されるかまたは場合によっては変更され得ること、ならびに他の実装形態が可能であることに留意されたい。さらに、方法のうちの2つまたはそれ以上からの態様が組み合わせられ得る。
【０１８１】
本明細書で説明される技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなど、様々なワイヤレス通信システムのために使用され得る。CDMAシステムは、CDMA2000、ユニバーサル地上波無線アクセス(UTRA)などの無線技術を実装し得る。CDMA2000は、IS-2000、IS-95およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形形態を含む。TDMAシステムは、モバイル通信用グローバルシステム(GSM(登録商標):Global System for Mobile Communications)などの無線技術を実装してもよい。
【０１８２】
OFDMAシステムは、ウルトラモバイルブロードバンド(UMB)、発展型UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、ユニバーサルモバイルテレコミュニケーションシステム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2:3rd Generation Partnership Project 2)と称する団体からの文書に記載されている。本明細書で説明した技法は、上述のシステムおよび無線技術、ならびに他のシステムおよび無線技術に使用され得る。LTEまたはNRシステムの態様について例として記載し得、LTEまたはNRの用語を説明の大部分において使用し得るが、本明細書で説明する技法はLTEまたはNR適用例を越えて適用可能である。
【０１８３】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられ得、スモールセルは、マクロセルと同じまたはマクロセルとは異なる(たとえば、認可、無認可など)周波数帯域において動作し得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーし得、フェムトセルとの関連付けを有するUE115(たとえば、限定加入者グループ(CSG)中のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セルをサポートし得、1つまたは複数のコンポーネントキャリアを使用する通信をもサポートし得る。
【０１８４】
本明細書で説明する1つまたは複数のシステム100は、同期動作または非同期動作をサポートし得る。同期動作の場合、基地局105は同様のフレームタイミングを有することがあり、異なる基地局105からの送信は時間的に概ね揃えられ得る。非同期動作の場合、基地局105は異なるフレームタイミングを有することがあり、異なる基地局105からの送信は時間的に揃えられないことがある。本明細書で説明された技法は、同期動作または非同期動作のいずれかのために使用され得る。
【０１８５】
本明細書で説明した情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場もしくは光学粒子、またはそれらの任意の組合せによって表され得る。
【０１８６】
本明細書の本開示に関して説明する様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであってもよいが、代替として、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１８７】
本明細書で説明した機能は、ハードウェア、プロセッサによって実行されるソフトウェア、ファームウェア、またはそれらの任意の組合せとして実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態が、本開示および添付の特許請求の範囲の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されてもよい。機能を実装する特徴はまた、機能の部分が異なる物理的ロケーションにおいて実装されるように分散されることを含めて、様々な位置に物理的に配置されてもよい。
【０１８８】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記の組合せもコンピュータ可読媒体の範囲内に含まれる。
【０１８９】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明された例示的なステップは、本開示の範囲から逸脱することなく、条件Aと条件Bの両方に基づき得る。言い換えれば、本明細書で使用される「に基づいて」という句は、「に少なくとも部分的に基づいて」という句と同様にして解釈されるものとする。
【０１９０】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０１９１】
添付の図面に関して本明細書に記載される説明は、例示的な構成を説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０１９２】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０１９３】
100  ワイヤレス通信のためのシステム
105  基地局
105-a  基地局
105-b  基地局
105-c  基地局
105-d  基地局
105-e  基地局
105-f  基地局
105-g  基地局
105-h  基地局
110  地理的カバレージエリア
110-a  地理的カバレージエリア
110-b  地理的カバレージエリア
115  ユーザ機器(UE)
115-a  UE
115-b  UE
115-c  UE
115-d  UE
125  通信リンク
130  コアネットワーク
132  バックホールリンク
134  バックホールリンク
200  システム
225  双方向リンク
300  プロセスフロー
320-a  送信機
320-b  送信機
325-a  受信機
325-b  受信機
330  受信機
335  送信機
340  送信機会(TxOP)
345  プロセスフローのポイント
350  プロセスフローのポイント
355  プロセスフローのポイント
360  プロセスフローのポイント
365  プロセスフローのポイント
370  プロセスフローのポイント
372  プロセスフローのポイント
375  プロセスフローのポイント
380  プロセスフローのポイント
385  プロセスフローのポイント
390  プロセスフローのポイント
400  プロセスフロー
420-a  送信機
420-b  送信機
425-a  送信機
425-b  送信機
430-a  受信機
430-b  受信機
435  受信機
440  受信機
445  送信機
450  TxOP
455  プロセスフローのポイント
460-a  プロセスフローのポイント
460-b  プロセスフローのポイント
460-c  プロセスフローのポイント
460-d  プロセスフローのポイント
465  プロセスフローのポイント
470  プロセスフローのポイント
475  プロセスフローのポイント
477  プロセスフローのポイント
485  プロセスフローのポイント
490  プロセスフローのポイント
495  プロセスフローのポイント
500  プロセスフロー
520-a  送信機
520-b  送信機
525-a  送信機
525-b  送信機
530-a  受信機
530-b  受信機
535  受信機
540  受信機
545  送信機
550-a  TxOP
550-b  TxOP
555  プロセスフローのポイント
560  プロセスフローのポイント
565-a  プロセスフローのポイント
565-b  プロセスフローのポイント
565-c  プロセスフローのポイント
565-d  プロセスフローのポイント
570-a  プロセスフローのポイント
570-b  プロセスフローのポイント
575  プロセスフローのポイント
580  プロセスフローのポイント
582  プロセスフローのポイント
585  プロセスフローのポイント
590  プロセスフローのポイント
595  プロセスフローのポイント
600  ブロック図
605  ワイヤレスデバイス
610  受信機
615  UE通信マネージャ
620  送信機
700  ブロック図
705  ワイヤレスデバイス
710  受信機
715  UE通信マネージャ
720  送信機
725  事前許可構成要素
730  リッスンビフォアトーク構成要素
735  チャネル予約信号構成要素
800  ブロック図
815  UE通信マネージャ
820  事前許可構成要素
825  リッスンビフォアトーク構成要素
830  チャネル予約信号構成要素
835  複信構成要素
900  システム
905  デバイス
910  バス
915  UE通信マネージャ
920  プロセッサ
925  メモリ
930  ソフトウェア
935  トランシーバ
940  アンテナ
945  I/Oコントローラ
1000  ブロック図
1005  ワイヤレスデバイス
1010  受信機
1015  基地局通信マネージャ
1020  送信機
1100  ブロック図
1105  ワイヤレスデバイス
1110  受信機
1115  基地局通信マネージャ
1120  送信機
1125  事前許可構成要素
1130  ダウンリンク送信構成要素
1200  ブロック図
1215  基地局通信マネージャ
1220  事前許可構成要素
1225  ダウンリンク送信構成要素
1230  リッスンビフォアトーク構成要素
1235  チャネル予約信号構成要素
1300  システム
1305  デバイス
1310  バス
1315  基地局通信マネージャ
1320  プロセッサ
1325  メモリ
1330  ソフトウェア
1335  送信機
1340  アンテナ
1345  ネットワーク通信マネージャ
1350  局間通信マネージャ
【図１】
2020534743.tif 000003
【図２】
2020534743.tif 000004
【図３】
2020534743.tif 000005
【図４】
2020534743.tif 000006
【図５】
2020534743.tif 000007
【図６】
2020534743.tif 000008
【図７】
2020534743.tif 000009
【図８】
2020534743.tif 000010
【図９】
2020534743.tif 000011
【図１０】
2020534743.tif 000012
【図１１】
2020534743.tif 000013
【図１２】
2020534743.tif 000014
【図１３】
2020534743.tif 000015
【図１４】
2020534743.tif 000016
【図１５】
2020534743.tif 000017
【図１６】
2020534743.tif 000018
【図１７】
2020534743.tif 000019
【国際調査報告】
2020534743.tif 000020
2020534743.tif 000021
2020534743.tif 000022